(57)【特許請求の範囲】
【請求項１】
複数のワイヤレスデバイスがアクセスを求めて競合する共有無線周波数スペクトル帯域におけるダウンリンクサブフレームの構成を識別することと、ここにおいて、前記ダウンリンクサブフレームは、シンボル期間の第１のセットを備える制御領域を含む、
前記ダウンリンクサブフレームの前記構成に少なくとも部分的に基づいて、前記ダウンリンクサブフレームのためのセル固有参照信号（ＣＲＳ）を生成するかどうかを決定することと、
前記決定に少なくとも部分的に基づいて、前記ダウンリンクサブフレームのための前記ＣＲＳを生成することと、
前記共有無線周波数スペクトル帯域内で、前記ダウンリンクサブフレームのシンボル期間の前記第１のセットのうちの第１のシンボル期間において前記ＣＲＳを送信することと、
最小帯域幅の占有率を満たすために、シンボル期間の前記第１のセットのうちの少なくとも第２のシンボル期間におけるアグリゲーションレベルを増加させることと、
前記ダウンリンクサブフレームの少なくとも前記第２のシンボル期間において１つまたは複数の物理チャネルを送信することと、ここにおいて、前記１つまたは複数の物理チャネルは、前記ＣＲＳが送信されるか否かに依存する、
を備える、ワイヤレス通信のための方法。
【請求項２】
前記ダウンリンクサブフレームにおける前記ＣＲＳの存在をシグナリングすること
をさらに備える、請求項１に記載の方法。
【請求項３】
前記ＣＲＳの前記存在をシグナリングすることは、
第１のキャリア上の物理ダウンリンク制御チャネル（ＰＤＣＣＨ）または拡張ＰＤＣＣＨ（ｅＰＤＣＣＨ）中に含まれるダウンリンク制御情報（ＤＣＩ）において前記ＣＲＳの前記存在をシグナリングすることと、
認可キャリアまたは無認可キャリア上で前記シグナリングを送信することと、ここにおいて、前記認可キャリアおよび前記無認可キャリアは、前記第１のキャリアとは異なる、
を備える、請求項２に記載の方法。
【請求項４】
前記ダウンリンクサブフレームの前記第１のシンボル期間を備えるシンボル期間の前記第１のセット中で、物理制御フォーマットインジケータチャネル（ＰＣＦＩＣＨ）、物理フレームフォーマットインジケータチャネル（ＰＦＦＩＣＨ）、物理ダウンリンク制御チャネル（ＰＤＣＣＨ）、または物理ハイブリッド自動再送要求インジケータチャネル（ＰＨＩＣＨ）を備える前記制御領域の信号を送信すること
をさらに備える、請求項１に記載の方法。
【請求項５】
最小帯域幅の占有率を満たすために、少なくとも前記第２のシンボル期間における少なくとも１つのトーン上でフィラーシンボルを送信すること
をさらに備える、請求項１に記載の方法。
【請求項６】
前記フィラーシンボルがジャンクシンボルを備える、請求項５に記載の方法。
【請求項７】
前記第１のシンボル期間から少なくとも前記第２のシンボル期間まで一定の送信電力を維持するために、少なくとも前記第２のシンボル期間における送信電力をブーストすること
をさらに備える、請求項１に記載の方法。
【請求項８】
前記送信電力をブーストすることが、
少なくとも前記第２のシンボル期間における少なくとも１つのトーン上でフィラーシンボルを送信すること
を備える、請求項７に記載の方法。
【請求項９】
シンボル期間の前記第１のセットに続くシンボル期間の第２のセット中でデータ領域の信号を送信することと、
シンボル期間の前記第１のセットからシンボル期間の前記第２のセットまで一定の送信電力を維持するために、シンボル期間の前記第１のセット中の少なくとも１つのシンボル期間における送信電力をブーストすることと、
をさらに備える、請求項１に記載の方法。
【請求項１０】
前記ダウンリンクサブフレームは、物理制御フォーマットインジケータチャネル（ＰＣＦＩＣＨ）の送信を備え、前記方法は、
基地局が前記ダウンリンクサブフレームの後の次のダウンリンクサブフレームにおいてアクティブになるかどうかの指示を前記ＰＣＦＩＣＨにおいて送信すること
をさらに備える、請求項１に記載の方法。
【請求項１１】
前記ダウンリンクサブフレームは、物理フレームフォーマットインジケータチャネル（ＰＦＦＩＣＨ）の送信を備え、前記方法が、
前記共有無線周波数スペクトル帯域へのアクセスを求める競合に勝つことと、
前記共有無線周波数スペクトル帯域へのアクセスを求める競合に前記勝つことに続いて前記ダウンリンクサブフレームの信号を送信することと
をさらに備える、請求項１に記載の方法。
【請求項１２】
前記ダウンリンクサブフレームは、物理ハイブリッド自動再送要求インジケータチャネル（ＰＨＩＣＨ）の送信を備え、前記方法は、
ユーザ機器（ＵＥ）から受信されたアップリンクサブフレームのグループに対するグループ確認応答を前記ＰＨＩＣＨにおいて送信すること
をさらに備える、請求項１に記載の方法。
【請求項１３】
巡回冗長検査（ＣＲＣ）ビットのセットとともに前記グループ確認応答を送信すること
をさらに備える、請求項１２に記載の方法。
【請求項１４】
前記ダウンリンクサブフレームは、第１の物理ハイブリッド自動再送要求インジケータチャネル（ＰＨＩＣＨ）の送信を備え、前記方法は、
第１のユーザ機器（ＵＥ）から受信されたアップリンクサブフレームの第１のグループに対する第１のグループ確認応答を前記第１のＰＨＩＣＨにおいて送信することと、
第２のＵＥから受信されたアップリンクサブフレームの第２のグループに対する第２のグループ確認応答を、第２のダウンリンクサブフレームにおける第２のＰＨＩＣＨにおいて送信することと、
をさらに備え、
ここにおいて、アップリンクサブフレームの前記第１のグループが、アップリンクサブフレームの前記第２のグループとは異なる時間領域複信（ＴＤＤ）フレーム構造で受信される、請求項１に記載の方法。
【請求項１５】
前記ダウンリンクサブフレームは、物理ハイブリッド自動再送要求インジケータチャネル（ＰＨＩＣＨ）の送信を備え、前記方法は、
ユーザ機器（ＵＥ）許可開始リソースブロックとアップリンクサブフレームの識別子とに応じて前記ＰＨＩＣＨのために少なくとも１つのリソースを割り振ること
をさらに備える、請求項１に記載の方法。
【請求項１６】
前記ダウンリンクサブフレームは、ＣＲＳベース拡張システム情報ブロック（ｅＳＩＢ）を備える、請求項１に記載の方法。
【請求項１７】
前記ダウンリンクサブフレームは、ダウンリンククリアチャネルアセスメント免除送信（Ｄ−ＣＥＴ）サブフレームを備える、請求項１６に記載の方法。
【請求項１８】
前記ＣＲＳベースｅＳＩＢは、周期的に送信される複数のｅＳＩＢのうちの１つを備える、請求項１６に記載の方法。
【請求項１９】
前記ダウンリンクサブフレームは、
ユーザ機器（ＵＥ）のためのデータ送信、前記データ送信は、空間周波数ブロックコーディング（ＳＦＢＣ）に少なくとも部分的に基づく；ＣＲＳベースチャネル品質インジケータ（ＣＱＩ）測定サブフレーム；自己スケジューリングモードでの共通探索空間許可の送信；物理制御フォーマットインジケータチャネル（ＰＣＦＩＣＨ）の送信；物理フレームフォーマットインジケータチャネル（ＰＦＦＩＣＨ）の送信；物理ダウンリンク制御チャネル（ＰＤＣＣＨ）の送信；物理ハイブリッド自動再送要求インジケータチャネル（ＰＨＩＣＨ）の送信；または物理ブロードキャストチャネル（ＰＢＣＨ）の送信
のうちの少なくとも１つを備える、請求項１に記載の方法。
【請求項２０】
プロセッサと、
前記プロセッサと電子通信しているメモリとを備え、
前記プロセッサおよびメモリは、
複数のワイヤレスデバイスがアクセスを求めて競合する共有無線周波数スペクトル帯域におけるダウンリンクサブフレームの構成を識別することと、ここにおいて、前記ダウンリンクサブフレームは、シンボル期間の第１のセットを備える制御領域を含む、
前記ダウンリンクサブフレームの前記構成に少なくとも部分的に基づいて、前記ダウンリンクサブフレームのためのセル固有参照信号（ＣＲＳ）を生成するかどうかを決定することと、
前記決定に少なくとも部分的に基づいて、前記ダウンリンクサブフレームのための前記ＣＲＳを生成することと、
前記共有無線周波数スペクトル帯域内で、前記ダウンリンクサブフレームのシンボル期間の前記第１のセットのうちの第１のシンボル期間において前記ＣＲＳを送信することと、
最小帯域幅の占有率を満たすために、シンボル期間の前記第１のセットのうちの少なくとも第２のシンボル期間におけるアグリゲーションレベルを増加させることと、
前記ダウンリンクサブフレームの少なくとも前記第２のシンボル期間において１つまたは複数の物理チャネルを送信することと、ここにおいて、前記１つまたは複数の物理チャネルは、前記ＣＲＳが送信されるか否かに依存する、
を行うように構成された、ワイヤレス通信のための装置。
【請求項２１】
複数のワイヤレスデバイスがアクセスを求めて競合する共有無線周波数スペクトル帯域においてダウンリンクサブフレームを受信することと、ここにおいて、前記ダウンリンクサブフレームは、シンボル期間の第１のセットを備える制御領域を含む、
前記ダウンリンクサブフレームの構成を識別することと、
前記ダウンリンクサブフレームの前記識別された構成に少なくとも部分的に基づいて、前記ダウンリンクサブフレームのシンボル期間の前記第１のセットのうちの第１のシンボル期間におけるセル固有参照信号（ＣＲＳ）の存在を推論することと、
シンボル期間の前記第１のセットのうちの少なくとも第２のシンボル期間を受信することと、ここにおいて、少なくとも前記第２のシンボル期間は、最小帯域幅の占有率を満たす増加されたアグリゲーションレベルを有する、
前記ダウンリンクサブフレームの少なくとも前記第２のシンボル期間において１つまたは複数の物理チャネルを受信することと、ここにおいて、前記１つまたは複数の物理チャネルは、前記ＣＲＳが存在するか否かに依存する、
前記ダウンリンクサブフレームにおける前記ＣＲＳの前記存在を推論すると、前記ダウンリンクサブフレーム中に少なくとも１つの動作を実行することと
を備える、ワイヤレス通信のための方法。
【請求項２２】
前記ダウンリンクサブフレーム中に前記少なくとも１つの動作を実行することが、
チャネル推定を取得するために前記ＣＲＳに対して測定を実行することと、
前記チャネル推定に少なくとも部分的に基づいて、物理制御フォーマットインジケータチャネル（ＰＣＦＩＣＨ）、物理フレームフォーマットインジケータチャネル（ＰＦＦＩＣＨ）、物理ダウンリンク制御チャネル（ＰＤＣＣＨ）、物理ハイブリッド自動再送要求インジケータチャネル（ＰＨＩＣＨ）、または物理ブロードキャストチャネル（ＰＢＣＨ）のうちの少なくとも１つを復号することと
を備える、請求項２１に記載の方法。
【請求項２３】
前記ＣＲＳの前記存在を推論することは、
チャネル品質インジケータ（ＣＱＩ）測定サブフレーム、または拡張システム情報ブロック（ｅＳＩＢ）を備えるサブフレームにおける前記ＣＲＳの前記存在を推論すること、または
物理ダウンリンク制御チャネル（ＰＤＣＣＨ）または拡張ＰＤＣＣＨ（ｅＰＤＣＣＨ）中で受信されたダウンリンク制御情報（ＤＣＩ）を復号すること
のうちの少なくとも１つを備える、請求項２１に記載の方法。
【請求項２４】
前記ダウンリンクサブフレーム中に前記少なくとも１つの動作を実行することは、
物理制御フォーマットインジケータチャネル（ＰＣＦＩＣＨ）を受信することと、
基地局が前記ダウンリンクサブフレームの後の次のダウンリンクサブフレームにおいてアクティブになるかどうかの指示を前記ＰＣＦＩＣＨにおいて受信することと
を備える、請求項２１に記載の方法。
【請求項２５】
前記ダウンリンクサブフレーム中に前記少なくとも１つの動作を実行することは、
物理ハイブリッド自動再送要求インジケータチャネル（ＰＨＩＣＨ）を受信することと、
アップリンクサブフレームのグループに対するグループ確認応答を前記ＰＨＩＣＨにおいて受信することと、
を備える、請求項２１に記載の方法。
【請求項２６】
巡回冗長検査（ＣＲＣ）ビットのセットとともに前記グループ確認応答を受信すること
をさらに備える、請求項２５に記載の方法。
【請求項２７】
前記ダウンリンクサブフレーム中に前記少なくとも１つの動作を実行することは、
チャネル推定を取得するために前記ＣＲＳに対して測定を実行することと、
前記チャネル推定に少なくとも部分的に基づいて、拡張システム情報ブロック（ｅＳＩＢ）を復号することと、
を備える、請求項２１に記載の方法。
【請求項２８】
プロセッサと、
前記プロセッサと電子通信しているメモリとを備え、
前記プロセッサおよびメモリは、
複数のワイヤレスデバイスがアクセスを求めて競合する共有無線周波数スペクトル帯域においてダウンリンクサブフレームを受信することと、ここにおいて、前記ダウンリンクサブフレームは、シンボル期間の第１のセットを備える制御領域を含む、
前記ダウンリンクサブフレームの構成を識別することと、
前記ダウンリンクサブフレームの前記識別された構成に少なくとも部分的に基づいて、前記ダウンリンクサブフレームのシンボル期間の前記第１のセットのうちの第１のシンボル期間におけるセル固有参照信号（ＣＲＳ）の存在を推論することと、
シンボル期間の前記第１のセットのうちの少なくとも第２のシンボル期間を受信することと、ここにおいて、少なくとも前記第２のシンボル期間は、最小帯域幅の占有率を満たす増加されたアグリゲーションレベルを有する、
前記ダウンリンクサブフレームの少なくとも前記第２のシンボル期間において１つまたは複数の物理チャネルを受信することと、ここにおいて、前記１つまたは複数の物理チャネルは、前記ＣＲＳが存在するか否かに依存する、
前記ダウンリンクサブフレームにおける前記ＣＲＳの前記存在を推論すると、前記ダウンリンクサブフレーム中に少なくとも１つの動作を実行することと
を行うように構成された、ワイヤレス通信のための装置。
【請求項２９】
セル固有参照信号（ＣＲＳ）が、共有無線周波数スペクトル帯域におけるダウンリンクサブフレームに存在するかどうかを動的に決定することと、
前記ＣＲＳが前記ダウンリンクサブフレームに存在すると動的に決定すると、前記ダウンリンクサブフレーム中に少なくとも１つのＣＲＳベース動作を実行することと、
を特徴とし、
前記ダウンリンクサブフレーム中に前記少なくとも１つのＣＲＳベース動作を実行することは、
チャネル推定を取得するために前記ＣＲＳに対して測定を実行することと、
前記チャネル推定に少なくとも部分的に基づいて、物理制御フォーマットインジケータチャネル（ＰＣＦＩＣＨ）、物理フレームフォーマットインジケータチャネル（ＰＦＦＩＣＨ）、物理ダウンリンク制御チャネル（ＰＤＣＣＨ）、物理ハイブリッド自動再送要求インジケータチャネル（ＰＨＩＣＨ）、または物理ブロードキャストチャネル（ＰＢＣＨ）のうちの少なくとも１つを復号することと
を備える、ワイヤレス通信のための方法。
【請求項３０】
セル固有参照信号（ＣＲＳ）が、共有無線周波数スペクトル帯域におけるダウンリンクサブフレームに存在するかどうかを動的に決定することと、
前記ＣＲＳが前記ダウンリンクサブフレームに存在すると動的に決定すると、前記ダウンリンクサブフレーム中に少なくとも１つのＣＲＳベース動作を実行することと、
を特徴とし、
前記ダウンリンクサブフレーム中に前記少なくとも１つのＣＲＳベース動作を実行することは、
物理制御フォーマットインジケータチャネル（ＰＣＦＩＣＨ）を受信することと、
基地局が前記ダウンリンクサブフレームの後の次のダウンリンクサブフレームにおいてアクティブになるかどうかの指示を前記ＰＣＦＩＣＨにおいて受信することと
を備える、ワイヤレス通信のための方法。
【請求項３１】
セル固有参照信号（ＣＲＳ）が、共有無線周波数スペクトル帯域におけるダウンリンクサブフレームに存在するかどうかを動的に決定することと、
前記ＣＲＳが前記ダウンリンクサブフレームに存在すると動的に決定すると、前記ダウンリンクサブフレーム中に少なくとも１つのＣＲＳベース動作を実行することと、
を特徴とし、
前記ダウンリンクサブフレーム中に前記少なくとも１つのＣＲＳベース動作を実行することは、
物理ハイブリッド自動再送要求インジケータチャネル（ＰＨＩＣＨ）を受信することと、
アップリンクサブフレームのグループに対するグループ確認応答を前記ＰＨＩＣＨにおいて受信することと、
を備える、ワイヤレス通信のための方法。
【請求項３２】
プロセッサと、
前記プロセッサと電子通信しているメモリとを備え、
前記プロセッサおよびメモリが、請求項２９、３０、または３１に記載の方法を行うように構成されることを特徴とする、ワイヤレス通信のための装置。
【発明の詳細な説明】
【技術分野】
【０００１】
相互参照
[0001]本特許出願は、各々が本出願の譲受人に譲渡された、２０１５年９月２４日に出願された、「Techniques for Cell-Specific Reference Signal (CRS)-Based Signaling in a Shared Radio Frequency Spectrum Band」と題する、Ｙｅｒｒａｍａｌｌｉらによる米国特許出願第１４／８６４，０５６号、および２０１４年１０月１６日に出願された、「Techniques for Cell-Specific Reference Signal (CRS)-Based Signaling in a Shared Radio Frequency Spectrum Band」と題する、Ｙｅｒｒａｍａｌｌｉらによる米国仮特許出願第６２／０６４，７１１号の優先権を主張する。
【０００２】
[0002]本開示は、たとえば、ワイヤレス通信システムに関し、より詳細には、共有無線周波数スペクトル帯域におけるセル固有参照信号（ＣＲＳ）ベースシグナリングのための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの共有無線周波数スペクトル帯域において、または異なる無線周波数スペクトル帯域（たとえば、専用無線周波数スペクトル帯域および共有無線周波数スペクトル帯域）において基地局とＵＥとの間の通信を可能にし得る。専用（たとえば、認可）無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者に拡張データ送信容量のための機会を与え得る。共有無線周波数スペクトル帯域はまた、専用無線周波数スペクトル帯域へのアクセスが利用不可能であるエリア中でサービスを与え得る。
【０００６】
[0006]共有無線周波数スペクトル帯域へのアクセスを獲得し、共有無線周波数スペクトル帯域上で通信するより前に、基地局またはＵＥは、共有無線周波数スペクトル帯域へのアクセスを求めて競合するために、リッスンビフォアトーク（ＬＢＴ：listen before talk）プロシージャを実行し得る。ＬＢＴプロシージャは、共有無線周波数スペクトル帯域のチャネルが利用可能であるかどうかを決定するために、クリアチャネルアセスメント（ＣＣＡ：clear channel assessment）プロシージャを実行することを含み得る。共有無線周波数スペクトル帯域のチャネルが利用可能であると決定されたとき、チャネル使用ビーコン信号（ＣＵＢＳ：channel usage beacon signal）が、チャネルを予約するために送信され得る。
【０００７】
[0007]基地局がロングタームエボリューション（ＬＴＥ（登録商標））通信またはＬＴＥアドバンスト（ＬＴＥ−Ａ）通信を使用して専用無線周波数スペクトル帯域においていくつかのＵＥと通信するとき、基地局はあらゆるダウンリンクサブフレーム中にＣＲＳを送信し得、いくつかのＵＥはあらゆるダウンリンクサブフレーム中にＣＲＳを受信し得る。各ＣＲＳは、ＵＥのうちの１つまたは複数において様々なＣＲＳベース動作のために使用され得る。基地局が共有無線周波数スペクトル帯域においていくつかのＵＥと通信するとき、基地局は、あらゆるダウンリンクサブフレーム中にＣＲＳを送信することができるとは限らない。さらに、ＵＥのうちの１つまたは複数は、あらゆるダウンリンクサブフレーム中にＣＲＳを受信することができるとは限らない。これは、共有無線周波数スペクトルがあらゆるサブフレーム中に基地局にとっておよびＵＥの各々にとって利用可能であるとは限らないことの結果であり得る。
【発明の概要】
【０００８】
[0008]本開示は、たとえば、共有無線周波数スペクトル帯域におけるＣＲＳベースシグナリングのための１つまたは複数の技法に関する。共有無線周波数スペクトル帯域が、あらゆるダウンリンクサブフレーム中にＣＲＳを送信および受信する目的で基地局およびＵＥにとって利用可能であるとは限らないので、共有無線周波数スペクトル帯域においてＣＲＳを送信するための１つの技法は、そのような送信を、比較的スパースなダウンリンクＣＣＡ免除サブフレーム（すなわち、基地局が、最初にＣＣＡを実行すること、および共有無線周波数スペクトル帯域へのアクセスを求める競合に勝つことなしに、共有無線周波数スペクトル帯域において送信し得るサブフレームで、たとえば、８０ミリ秒ごとに１回発生し得る）に制限することである。別の技法は、周期的に生じる比較的スパースな数のＣＣＡサブフレーム（すなわち、基地局がサブフレーム中に共有無線周波数スペクトル帯域へのアクセスを求める競合に勝った後にのみ送信し得るサブフレームで、たとえば、ＣＣＡが成功したと仮定して２０ミリ秒ごとに１回発生し得る）にＣＲＳ送信を制限することである。その場合、ＵＥは、各ダウンリンクＣＣＡ免除サブフレームにおいて、およびＵＥが共有無線周波数スペクトル帯域へのアクセスを求める競合に勝った周期的な数のＣＣＡサブフレームの各々において、ＣＲＳを復号するようにプログラムされ得る。いくつかの例では、基地局は、基地局が共有無線周波数スペクトル帯域にアクセスするための競合に勝ったあらゆるダウンリンクサブフレーム中にＣＲＳを送信するようにプログラムされ得る。基地局が、あらゆるダウンリンクサブフレームにおいてＣＲＳを送信する可能性を有するとき、基地局が通信するＵＥは、あらゆるダウンリンクサブフレームにおいてＣＲＳを復号するようにプログラムされ得る。しかしながら、サブフレームにおいて基地局のＣＣＡ成功率がいくつかのシナリオの下で不良であり得ることを仮定し、およびＵＥのＣＣＡ成功率がＵＥごとに変動し得ることを仮定すれば、あらゆるダウンリンクサブフレームにおいてＣＲＳを復号するようにＵＥをプログラムすることは、リソースおよびＵＥ電力の不良な使用であり得る。
【０００９】
[0009]ＣＲＳが、あまり頻繁に送信されないか、または固定の周期的間隔において送信されるとき、ＣＲＳベースシグナリングは制限され得る。たとえば、基地局は、ＣＲＳベース送信を送信することができないことがあり、またはＵＥは、ＣＲＳベース動作を実行することができないことがある。したがって、共有無線周波数スペクトル帯域においてＣＲＳを送信するための他の技法について本開示で説明する。基地局の観点から、本技法は、ダウンリンクサブフレームの構成に少なくとも部分的に基づいて、共有無線周波数スペクトル帯域におけるダウンリンクサブフレームのためのＣＲＳを生成することを含み得、それによって、たとえば、任意のダウンリンクサブフレームにおけるＣＲＳベース送信の送信を可能にする。ＵＥの観点から、本技法は、共有無線周波数スペクトル帯域におけるダウンリンクサブフレームにおけるＣＲＳの存在を動的に決定することを含み得、それによって、たとえば、ＣＲＳが存在するときのＣＲＳベース動作の実行を可能にする。
【００１０】
[0010]一例では、ワイヤレス通信のための方法について説明する。一構成では、本方法は、共有無線周波数スペクトル帯域におけるダウンリンクサブフレームの構成を識別することと、ダウンリンクサブフレームの構成に少なくとも部分的に基づいて、ダウンリンクサブフレームのためのＣＲＳを生成することとを含み得る。
【００１１】
[0011]いくつかの例では、本方法は、ダウンリンクサブフレームにおけるＣＲＳの存在をシグナリングすることを含み得る。いくつかの例では、ＣＲＳの存在をシグナリングすることは、共有無線周波数スペクトルにおける第１のキャリア上の物理ダウンリンク制御チャネル（ＰＤＣＣＨ）または拡張ＰＤＣＣＨ（ｅＰＤＣＣＨ）中に含まれるダウンリンク制御情報（ＤＣＩ）においてＣＲＳの存在をシグナリングすることと、共有無線周波数スペクトルにおける認可キャリアまたは共有無線周波数スペクトル帯域における無認可キャリア上でシグナリングを送信することと、ここで、認可キャリアおよび無認可キャリアが第１のキャリアとは異なる、を含み得る。
【００１２】
[0012]いくつかの例では、本方法は、ダウンリンクサブフレームの第１のシンボル期間を含む少なくとも１つのシンボル期間の第１のセット中で、物理制御フォーマットインジケータチャネル（ＰＣＦＩＣＨ）、物理フレームフォーマットインジケータチャネル（ＰＦＦＩＣＨ）、ＰＤＣＣＨ、または物理ハイブリッド自動再送要求インジケータチャネル（ＰＨＩＣＨ）を含む制御領域を送信することと、ダウンリンクサブフレームの第１のシンボル期間においてＣＲＳを送信することとを含み得る。いくつかの例では、少なくとも１つのシンボル期間の第１のセットは、ダウンリンクサブフレームの少なくとも第２のシンボル期間を含み得、制御領域は、ダウンリンクサブフレームの少なくとも第２のシンボル期間においてさらに送信され得る。いくつかの例では、本方法は、最小帯域幅の占有率を満たすために、少なくとも第２のシンボル期間におけるアグリゲーションレベルを増加させること、または最小帯域幅の占有率を満たすために、少なくとも第２のシンボル期間における少なくとも１つのトーン上でフィラーシンボル（filler symbol）を送信することを含み得る。いくつかの例では、フィラーシンボルは、ＵＥによって復号可能または使用可能であるシンボルを含み得る。他の例では、フィラーシンボルは、ＵＥによって復号可能でないまたは使用可能でないジャンクシンボルを含み得る。いくつかの例では、本方法は、第１のシンボル期間から少なくとも第２のシンボル期間まで一定の送信電力を維持するために、少なくとも第２のシンボル期間における送信電力をブーストすることを含み得る。いくつかの例では、送信電力をブーストすることは、少なくとも第２のシンボル期間における少なくとも１つのトーン上でフィラーシンボルを送信することを含み得る。いくつかの例では、本方法は、少なくとも１つのシンボル期間の第１のセットに続く少なくとも１つのシンボル期間の第２のセット中でデータ領域を送信することと、第１のセットから第２のセットまで一定の送信電力を維持するために、第１のセット中の少なくとも１つのシンボル期間における送信電力をブーストすることとを含み得る。
【００１３】
[0013]本方法のいくつかの例では、ダウンリンクサブフレームはＰＣＦＩＣＨの送信を含み得、本方法は、基地局がダウンリンクサブフレームの後の次のダウンリンクサブフレームにおいてアクティブになるかどうかの指示をＰＣＦＩＣＨにおいて送信することをさらに含み得る。いくつかの例では、ダウンリンクサブフレームはＰＦＦＩＣＨの送信を含み得、本方法は、共有無線周波数スペクトル帯域へのアクセスを求める競合に勝つことと、共有無線周波数スペクトル帯域へのアクセスを求める競合に勝つことに続いてダウンリンクサブフレームを送信することとをさらに含み得る。
【００１４】
[0014]本方法のいくつかの例では、ダウンリンクサブフレームはＰＨＩＣＨの送信を含み得、本方法は、ＵＥから受信されたアップリンクサブフレームのグループに対するグループ確認応答をＰＨＩＣＨにおいて送信することをさらに含み得る。いくつかの例では、本方法は、巡回冗長検査（ＣＲＣ）ビットのセットとともにグループ確認応答を送信することを含み得る。本方法のいくつかの例では、ダウンリンクサブフレームは第１のＰＨＩＣＨの送信を含み得、本方法は、第１のＵＥから受信されたアップリンクサブフレームの第１のグループに対する第１のグループ確認応答を第１のＰＨＩＣＨにおいて送信することと、第２のＵＥから受信されたアップリンクサブフレームの第２のグループに対する第２のグループ確認応答を、第２のダウンリンクサブフレームにおける第２のＰＨＩＣＨにおいて送信することとをさらに含み得る。アップリンクサブフレームの第１のグループは、アップリンクサブフレームの第２のグループとは異なる時間領域複信（ＴＤＤ）フレーム構造に関して受信され得る。いくつかの例では、ダウンリンクサブフレームはＰＨＩＣＨの送信を含み得、本方法は、ＵＥ許可開始リソースブロックとアップリンクサブフレームの識別子とに応じてＰＨＩＣＨのために少なくとも１つのリソースを割り振ることをさらに含み得る。
【００１５】
[0015]本方法のいくつかの例では、ダウンリンクサブフレームはＣＲＳベース拡張システム情報ブロック（ｅＳＩＢ）を含み得る。いくつかの例では、ダウンリンクサブフレームはダウンリンククリアチャネルアセスメント免除送信（Ｄ−ＣＥＴ：downlink clear channel assessment exempt transmission）サブフレームを含み得る。いくつかの例では、ＣＲＳベースｅＳＩＢは、周期的に送信される複数のｅＳＩＢのうちの１つを含み得る。いくつかの例では、ダウンリンクサブフレームは、データ送信が空間周波数ブロックコーディング（ＳＦＢＣ）に少なくとも部分的に基づく、ＵＥのためのデータ送信、ＣＲＳベースチャネル品質インジケータ（ＣＱＩ）測定サブフレーム、自己スケジューリングモードでの共通探索空間許可の送信、ＰＣＦＩＣＨの送信、ＰＦＦＩＣＨの送信、ＰＤＣＣＨの送信、ＰＨＩＣＨの送信、またはＰＢＣＨの送信のうちの少なくとも１つを含み得る。
【００１６】
[0016]一例では、ワイヤレス通信のための装置について説明する。一構成では、本装置は、共有無線周波数スペクトル帯域におけるダウンリンクサブフレームの構成を識別するための手段と、ダウンリンクサブフレームの構成に少なくとも部分的に基づいて、ダウンリンクサブフレームのためのセル固有参照信号（ＣＲＳ）を生成するための手段とを含み得る。
【００１７】
[0017]一例では、ワイヤレス通信のための別の装置について説明する。一構成では、本装置は、プロセッサと、プロセッサと電子通信しているメモリと、メモリに記憶された命令とを含み得る。命令は、共有無線周波数スペクトル帯域におけるダウンリンクサブフレームの構成を識別することと、ダウンリンクサブフレームの構成に少なくとも部分的に基づいて、ダウンリンクサブフレームのためのＣＲＳを生成することとを行うようにプロセッサによって実行可能であり得る。
【００１８】
[0018]一例では、ワイヤレス通信のためのコンピュータ実行可能コードを記憶する非一時的コンピュータ可読媒体について説明する。一構成では、コードは、共有無線周波数スペクトル帯域におけるダウンリンクサブフレームの構成を識別することと、ダウンリンクサブフレームの構成に少なくとも部分的に基づいて、ダウンリンクサブフレームのためのＣＲＳを生成することとを行うようにプロセッサによって実行可能であり得る。
【００１９】
[0019]一例では、ワイヤレス通信のための別の方法について説明する。一構成では、本方法は、共有無線周波数スペクトル帯域におけるダウンリンクサブフレームにおけるＣＲＳの存在を動的に決定することと、動的決定に応答してダウンリンクサブフレーム中に少なくとも１つの動作を実行することとを含み得る。
【００２０】
[0020]本方法のいくつかの例では、ダウンリンクサブフレーム中に少なくとも１つの動作を実行することは、チャネル推定を取得するためにＣＲＳに対して測定を実行することと、チャネル推定に少なくとも部分的に基づいて、ＰＣＦＩＣＨ、ＰＦＦＩＣＨ、ＰＤＣＣＨ、ＰＨＩＣＨ、またはＰＢＣＨのうちの少なくとも１つを復号することとを含み得る。本方法のいくつかの例では、ＣＲＳの存在を動的に決定することは、ＣＱＩ測定サブフレームまたはｅＳＩＢを含むサブフレームにおけるＣＲＳの存在を推論すること、あるいはＰＤＣＣＨまたはｅＰＤＣＣＨにおいて受信されたＤＣＩを復号することのうちの少なくとも１つを含み得る。本方法のいくつかの例では、ダウンリンクサブフレーム中に少なくとも１つの動作を実行することは、ＰＣＦＩＣＨを受信することと、基地局がダウンリンクサブフレームの後の次のダウンリンクサブフレームにおいてアクティブになるかどうかの指示をＰＣＦＩＣＨにおいて受信することとを含み得る。
【００２１】
[0021]本方法のいくつかの例では、ダウンリンクサブフレーム中に少なくとも１つの動作を実行することは、ＰＨＩＣＨを受信することと、アップリンクサブフレームのグループに対するグループ確認応答をＰＨＩＣＨにおいて受信することとを含み得る。いくつかの例では、本方法は、ＣＲＣビットのセットとともにグループ確認応答を受信することを含み得る。
【００２２】
[0022]本方法のいくつかの例では、ダウンリンクサブフレーム中に少なくとも１つの動作を実行することは、チャネル推定を取得するためにＣＲＳに対して測定を実行することと、チャネル推定に少なくとも部分的に基づいて、ｅＳＩＢを復号することとを含み得る。いくつかの例では、ダウンリンクサブフレームはＤ−ＣＥＴサブフレームを含み得る。いくつかの例では、ｅＳＩＢは、周期的に受信される複数のｅＳＩＢのうちの１つを含み得る。
【００２３】
[0023]いくつかの例では、本方法は、ダウンリンクサブフレームが含まれるフレームのＴＤＤフレーム構造に少なくとも部分的に基づいて、ダウンリンクサブフレームにおけるＰＨＩＣＨの存在を推論することを含み得、ダウンリンクサブフレームにおいて少なくとも１つの動作を実行することは、ダウンリンクサブフレーム中にＰＨＩＣＨの送信を受信することを含み得る。
【００２４】
[0024]一例では、ワイヤレス通信のための別の装置について説明する。一構成では、本装置は、共有無線周波数スペクトル帯域におけるダウンリンクサブフレームにおけるＣＲＳの存在を動的に決定するための手段と、動的決定に応答してダウンリンクサブフレーム中に少なくとも１つの動作を実行するための手段とを含み得る。
【００２５】
[0025]一例では、ワイヤレス通信のための別の装置について見つける。一構成では、本装置は、プロセッサと、プロセッサと電子通信しているメモリと、メモリに記憶された命令とを含み得る。命令は、共有無線周波数スペクトル帯域におけるダウンリンクサブフレームにおけるＣＲＳの存在を動的に決定することと、動的決定に応答してダウンリンクサブフレーム中に少なくとも１つの動作を実行することとを行うようにプロセッサによって実行可能であり得る。
【００２６】
[0026]一例では、ワイヤレス通信のためのコンピュータ実行可能コードを記憶する別の非一時的コンピュータ可読媒体について説明する。一構成では、コードは、共有無線周波数スペクトル帯域におけるダウンリンクサブフレームにおけるＣＲＳの存在を動的に決定することと、動的決定に応答してダウンリンクサブフレーム中に少なくとも１つの動作を実行することとを行うようにプロセッサによって実行可能であり得る。
【００２７】
[0027]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００２８】
[0028]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。本明細書において第１の参照ラベルが使用される場合、説明は、第２の参照ラベルにかかわらず、同じ第１の参照ラベルを有する同様の構成要素のうちのいずれにも適用可能である。
【図面の簡単な説明】
【００２９】
【図１】[0029]本開示の様々な態様による、ワイヤレス通信システムの一例を示す図。
【図２】[0030]本開示の様々な態様による、ＬＴＥ／ＬＴＥ−Ａが、共有無線周波数スペクトル帯域を使用して異なるシナリオの下で展開され得るワイヤレス通信システムを示す図。
【図３】[0031]本開示の様々な態様による、共有無線周波数スペクトル帯域上でのワイヤレス通信の一例を示す図。
【図４】[0032]本開示の様々な態様による、共有無線周波数スペクトル帯域における１つまたは複数のワイヤレス通信のために使用されるリソースブロックの図。
【図５】[0033]本開示の様々な態様による、共有無線周波数スペクトル帯域におけるＣＣＡ免除送信（ＣＥＴ）のための例示的なリソース割振りを示す図。
【図６】[0034]本開示の様々な態様による、ワイヤレス通信において使用するための装置のブロック図。
【図７】[0035]本開示の様々な態様による、ワイヤレス通信において使用するための装置のブロック図。
【図８】[0036]本開示の様々な態様による、ワイヤレス通信において使用するための装置のブロック図。
【図９】[0037]本開示の様々な態様による、ワイヤレス通信において使用するための装置のブロック図。
【図１０】[0038]本開示の様々な態様による、ワイヤレス通信において使用するための基地局（たとえば、ｅＮＢの一部または全部を形成する基地局）のブロック図。
【図１１】[0039]本開示の様々な態様による、ワイヤレス通信において使用するためのＵＥのブロック図。
【図１２】[0040]本開示の様々な態様による、基地局とＵＥとを含むＭＩＭＯ通信システムのブロック図。
【図１３】[0041]本開示の様々な態様による、ワイヤレス通信のための例示的な方法を示すフローチャート。
【図１４】[0042]本開示の様々な態様による、ワイヤレス通信のための例示的な方法を示すフローチャート。
【図１５】[0043]本開示の様々な態様による、ワイヤレス通信のための例示的な方法を示すフローチャート。
【図１６】[0044]本開示の様々な態様による、ワイヤレス通信のための例示的な方法を示すフローチャート。
【図１７】[0045]本開示の様々な態様による、ワイヤレス通信のための例示的な方法を示すフローチャート。
【図１８】[0046]本開示の様々な態様による、ワイヤレス通信のための例示的な方法を示すフローチャート。
【図１９】[0047]本開示の様々な態様による、ワイヤレス通信のための例示的な方法を示すフローチャート。
【図２０】[0048]本開示の様々な態様による、ワイヤレス通信のための例示的な方法を示すフローチャート。
【図２１】[0049]本開示の様々な態様による、ワイヤレス通信のための例示的な方法を示すフローチャート。
【発明を実施するための形態】
【００３０】
[0050]共有無線周波数スペクトル帯域がワイヤレス通信システム上での通信の少なくとも一部分のために使用される技法について説明する。いくつかの例では、共有無線周波数スペクトル帯域はＬＴＥ／ＬＴＥ−Ａ通信のために使用され得る。共有無線周波数スペクトル帯域は、専用無線周波数スペクトル帯域と組み合わせて、またはそれとは無関係に使用され得る。専用無線周波数スペクトル帯域は、無線周波数スペクトル帯域が、ＬＴＥ／ＬＴＥ−Ａ通信のために使用可能な認可無線周波数スペクトル帯域など、ユーザのサブセットに認可されているので、送信装置がそのアクセスを求めて競合しないことがある無線周波数スペクトル帯域であり得る。共有無線周波数スペクトル帯域は、デバイスがそのアクセスを求めて競合する必要があり得る無線周波数スペクトル帯域（たとえば、Ｗｉ−Ｆｉ（登録商標）使用など、無認可使用のために利用可能である無線周波数スペクトル帯域、あるいは等しく共有されるかまたは優先度を付けられた様式で複数の事業者が使用するために利用可能である無線周波数スペクトル帯域）であり得る。
【００３１】
[0051]専用無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者（たとえば、パブリックランドモバイルネットワーク（ＰＬＭＮ）またはＬＴＥ／ＬＴＥ−Ａネットワークなどのセルラーネットワークを画定する基地局の協調セットの事業者）に拡張データ送信容量のための機会を与え得る。共有無線周波数スペクトル帯域の使用はまた、専用無線周波数スペクトル帯域へのアクセスが利用不可能であるエリア中でサービスを与え得る。上述のように、共有無線周波数スペクトル帯域上で通信する前に、送信装置は、媒体へのアクセスを獲得するためにＬＢＴプロシージャを実行し得る。そのようなＬＢＴプロシージャは、共有無線周波数スペクトル帯域のチャネルが利用可能であるかどうかを決定するために、ＣＣＡプロシージャ（または拡張ＣＣＡプロシージャ）を実行することを含み得る。共有無線周波数スペクトル帯域のチャネルが利用可能であると決定されたとき、ＣＵＢＳが、チャネルを予約するために送信され得る。チャネルが利用可能でないと決定されたとき、そのチャネルのためのＣＣＡプロシージャ（または拡張ＣＣＡプロシージャ）が、後で再び実行され得る。
【００３２】
[0052]共有無線周波数スペクトル帯域におけるＣＲＳ送信が、比較的スパースなダウンリンクＣＣＡ免除サブフレームに、または周期的に発生する比較的スパースな数のＣＣＡサブフレームに限定されるとき、ＣＲＳ送信が行われる比較的低い頻度は、ＣＲＳ使用を、ＣＲＳベース測定または自動利得制御（ＡＧＣ）およびトラッキングループに制限し得る。ＣＲＳ送信のスパーシティのために、制御信号およびデータ信号復調は、たとえば、ＵＥ基準信号（ＵＥ−ＲＳ）または復調基準信号（ＤＭ−ＲＳ）に基づき得る。しかしながら、ＵＥ−ＲＳおよびＤＭ−ＲＳはＵＥのサブセットのためにプリコーディングされ、したがって、ＣＲＳベース送信は、セルのためにプリコーディングされ特定のＵＥのためにプリコーディングされず、ＵＥ−ＲＳまたはＤＭ−ＲＳだけを含んでいるダウンリンクサブフレーム中に行われないことがある。
【００３３】
[0053]ＣＲＳが、ダウンリンクサブフレームの構成に少なくとも部分的に基づいて、共有無線周波数スペクトル帯域におけるダウンリンクサブフレームのために生成され、送信されるとき、ＣＲＳは、ＣＲＳベース送信とＣＲＳベース動作とを含む、より広範囲の目的のために使用され得る。いくつかの例では、ＣＲＳは、ダウンリンクサブフレームの構成が、ＣＲＳ、データ送信が空間周波数ブロックコーディング（ＳＦＢＣ）に少なくとも部分的に基づく、ＵＥのためのデータ送信、ＣＲＳベースチャネル品質インジケータ（ＣＱＩ）測定サブフレーム、ＣＲＳベース拡張システム情報ブロック（ｅＳＩＢ）、自己スケジューリングモードでの共通探索空間許可の送信、物理制御フォーマットインジケータチャネル（ＰＣＦＩＣＨ）の送信、物理フレームフォーマットインジケータチャネル（ＰＦＦＩＣＨ）の送信、物理ダウンリンク制御チャネル（ＰＤＣＣＨ）の送信、物理ハイブリッド自動再送要求インジケータチャネル（ＰＨＩＣＨ）の送信、または物理ブロードキャストチャネル（ＰＢＣＨ）の送信のうちの少なくとも１つを含むとき、ダウンリンクサブフレームのために生成され得る。他の構成を有するダウンリンクサブフレームでは、ＣＲＳはダウンリンクサブフレームのために生成されないことがある。
【００３４】
[0054]基地局が、ダウンリンクサブフレームの構成に少なくとも部分的に基づいて、共有無線周波数スペクトル帯域におけるダウンリンクサブフレームのためのＣＲＳを生成したとき、基地局は、基地局と通信しているＵＥにＣＲＳの存在をシグナリングし得る。シグナリングは、ＵＥが物理ダウンリンク共有チャネル（ＰＤＳＣＨ）レートマッチングを実行することを可能にし得る。同じまたは他の例では、ＵＥは、いくつかのタイプのダウンリンクサブフレーム（たとえば、ＣＱＩ測定サブフレームまたはｅＳＩＢを含むサブフレーム）におけるＣＲＳの存在を推論するようにプログラムされ得る。
【００３５】
[0055]以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００３６】
[0056]図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００３７】
[0057]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３８】
[0058]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【００３９】
[0059]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、専用、共有などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００４０】
[0060]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００４１】
[0061]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００４２】
[0062]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００４３】
[0063]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。いくつかの例では、ＤＬ送信はダウンリンク制御情報（ＤＣＩ）の送信を含み得、ＵＬ送信はアップリンク制御情報（ＵＣＩ）の送信を含み得る。ＤＣＩは、ダウンリンク制御チャネル（たとえば、ＰＤＣＣＨまたは拡張ＰＤＣＣＨ（ｅＰＤＣＣＨ））上で送信され得る。ＤＣＩは、たとえば、ＵＬ送信の肯定応答（ＡＣＫ）または否定応答（ＮＡＫ）、あるいはＳＩＢまたはｅＳＩＢを含み得る。ＤＬ送信は、ＰＣＦＩＣＨ、ＰＦＦＩＣＨ、ＰＨＩＣＨ、ＰＢＣＨ、または物理ダウンリンク共有チャネル（ＰＤＳＣＨ）の送信をも含み得る。ＤＬ送信は、ＣＲＳ、ＵＥ−ＲＳ、またはＤＭ−ＲＳなど、基準信号の送信をも含み得る。いくつかのタイプのＤＬ送信は、１つまたは複数の基準信号の送信を含む、１つまたは複数の基準信号の送信に依存し得る。ＵＣＩは、アップリンク制御チャネル（たとえば、物理アップリンク制御チャネル（ＰＵＣＣＨ）または拡張ＰＵＣＣＨ（ｅＰＵＣＣＨ））上で送信され得る。ＵＣＩは、たとえば、ダウンリンク送信のＡＣＫ／ＮＡＫ、またはチャネル状態情報（ＣＳＩ）を含み得る。ＵＬ送信は、データの送信をも含み得、それは、物理アップリンク共有チャネル（ＰＵＳＣＨ）または拡張ＰＵＳＣＨ（ｅＰＵＳＣＨ）上で送信され得る。
【００４４】
[0064]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００４５】
[0065]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４６】
[0066]ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４７】
[0067]いくつかの例では、ワイヤレス通信システム１００は、専用無線周波数スペクトル帯域（たとえば、ＬＴＥ／ＬＴＥ−Ａ通信のために使用可能な認可無線周波数スペクトル帯域など、無線周波数スペクトル帯域が、様々な使用のためにユーザのサブセットに認可されているので、送信装置がそのアクセスを求めて競合しないことがある、無線周波数スペクトル帯域）または共有無線周波数スペクトル帯域（たとえば、送信装置がそのアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上での動作をサポートし得る。共有無線周波数スペクトル帯域へのアクセスを求める競合に勝つと、送信装置（たとえば、基地局１０５またはＵＥ１１５）は、共有無線周波数スペクトル帯域上で１つまたは複数のＣＵＢＳを送信し得る。ＣＵＢＳは、共有無線周波数スペクトル帯域上で検出可能なエネルギーを与えることによって、共有無線周波数スペクトルを予約し得る。ＣＵＢＳはまた、送信装置を識別するように働くか、または送信装置と受信装置とを同期させるように働き得る。
【００４８】
[0068]図２に、本開示の様々な態様による、ＬＴＥ／ＬＴＥ−Ａが、共有無線周波数スペクトル帯域を使用して異なるシナリオの下で展開され得るワイヤレス通信システム２００を示す。より詳細には、図２は、ＬＴＥ／ＬＴＥ−Ａが共有無線周波数スペクトル帯域を使用して展開される、（共有ダウンリンクモードとも呼ばれる）補足ダウンリンクモードと、キャリアアグリゲーションモードと、スタンドアロンモードとの例を示している。ワイヤレス通信システム２００は、図１を参照しながら説明したワイヤレス通信システム１００の部分の一例であり得る。その上、第１の基地局２０５および第２の基地局２０５−ａは、図１を参照しながら説明した基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明したＵＥ１１５のうちの１つまたは複数の態様の例であり得る。
【００４９】
[0069]ワイヤレス通信システム２００における補足ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトル帯域における周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、専用無線周波数スペクトル帯域における周波数Ｆ４に関連し得る。共有無線周波数スペクトル帯域におけるダウンリンクチャネル２２０および専用無線周波数スペクトル帯域における第１の双方向リンク２２５は、同時に動作し得る。ダウンリンクチャネル２２０はダウンリンクの容量オフロード（capacity offload）を第１の基地局２０５に与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、専用無線周波数スペクトルを使用し、トラフィックまたはシグナリング輻輳の一部を軽減する必要がある、サービスプロバイダ（たとえば、モバイルネットワーク事業者（ＭＮＯ））に関して発生し得る。
【００５０】
[0070]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有無線周波数スペクトル帯域における周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトル帯域における周波数Ｆ２に関連し得る。第２の双方向リンク２３０は、第１の基地局２０５にダウンリンクのおよびアップリンクの容量オフロードを与え得る。上記で説明した補足ダウンリンクのように、このシナリオは、専用無線周波数スペクトルを使用し、トラフィックまたはシグナリング輻輳の一部を軽減する必要がある、任意のサービスプロバイダ（たとえば、ＭＮＯ）に関して発生し得る。
【００５１】
[0071]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトル帯域における周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトル帯域における周波数Ｆ２に関連し得る。第４の双方向リンク２４０は、ダウンリンクのおよびアップリンクの容量オフロードを第１の基地局２０５に与え得る。この例および上記で与えた例は説明の目的で提示され、容量オフロードのために、専用無線周波数スペクトル帯域におけるＬＴＥ／ＬＴＥ−Ａを組み合わせ、共有無線周波数スペクトル帯域を使用する他の同様の動作モードまたは展開シナリオがあり得る。
【００５２】
[0072]上記で説明したように、共有無線周波数スペクトル帯域におけるＬＴＥ／ＬＴＥ−Ａを使用することによって提供される容量オフロードから恩恵を受け得る１つのタイプのサービスプロバイダは、専用無線周波数スペクトル帯域ＬＴＥ／ＬＴＥ−Ａへのアクセス権利を有する旧来のＭＮＯである。これらのサービスプロバイダの場合、動作例は、専用無線周波数スペクトル帯域上のＬＴＥ／ＬＴＥ−Ａ１次コンポーネントキャリア（ＰＣＣ）と共有無線周波数スペクトル帯域上の少なくとも１つの２次コンポーネントキャリア（ＳＣＣ）とを使用するブートストラップモード（bootstrapped mode）（たとえば、補足ダウンリンク、キャリアアグリゲーション）を含み得る。
【００５３】
[0073]キャリアアグリゲーションモードでは、データおよび制御は、たとえば、専用無線周波数スペクトル帯域において（たとえば、第１の双方向リンク２２５、第３の双方向リンク２３５、および第５の双方向リンク２４５を介して）通信され得るが、データは、たとえば、共有無線周波数スペクトル帯域において（たとえば、第２の双方向リンク２３０および第４の双方向リンク２４０を介して）通信され得る。共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＦＤＤ−ＴＤＤキャリアアグリゲーションに入り得る。
【００５４】
[0074]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトル帯域における周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、専用無線周波数スペクトル帯域へのアクセスを有しない、スタジアム所有者、ケーブル会社、イベント主催者、ホテル、企業、または大企業であり得る。
【００５５】
[0075]いくつかの例では、図１または図２を参照しながら説明した基地局１０５、２０５、または２０５−ａのうちの１つ、あるいは図１または図２を参照しながら説明したＵＥ１１５、２１５、２１５−ａ、２１５−ｂ、または２１５−ｃのうちの１つなどの送信装置は、共有無線周波数スペクトル帯域のチャネルへの（たとえば、共有無線周波数スペクトル帯域の物理チャネルへの）アクセスを獲得するためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期し得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡ）プロシージャなどの競合プロシージャ（たとえば、ＬＢＴプロシージャ）をいつ実行する必要があるかを示し得る。ＣＣＡプロシージャの結果は、共有無線周波数スペクトル帯域のチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用のために「クリア」）であることをＣＣＡプロシージャが示すとき、送信装置は、ＬＢＴ無線フレームの一部または全部中に共有無線周波数スペクトル帯域のチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。
【００５６】
[0076]図３に、本開示の様々な態様による、共有無線周波数スペクトル帯域上でのワイヤレス通信３１０の一例３００を示す。いくつかの例では、ワイヤレス通信３１０は、１つまたは複数のアップリンクコンポーネントキャリアの送信を含み得、（１つまたは複数の）アップリンクコンポーネントキャリアは、たとえば、図２を参照しながら説明した補足ダウンリンクモード、キャリアアグリゲーションモード、またはスタンドアロンモードに従って行われる送信の一部として、送信され得る。
【００５７】
[0077]いくつかの例では、ワイヤレス通信３１０のＬＢＴ無線フレーム３１５は、１０ミリ秒の持続時間を有し、いくつかのダウンリンク（Ｄ）サブフレーム３２０と、いくつかのアップリンク（Ｕ）サブフレーム３２５と、２つのタイプのスペシャルサブフレーム、Ｓサブフレーム３３０およびＳ’サブフレーム３３５とを含み得る。Ｓサブフレーム３３０は、ダウンリンクサブフレーム３２０とアップリンクサブフレーム３２５との間の遷移を与え得るが、Ｓ’サブフレーム３３５は、アップリンクサブフレーム３２５とダウンリンクサブフレーム３２０との間の遷移、いくつかの例では、ＬＢＴ無線フレーム間の遷移を与え得る。
【００５８】
[0078]Ｓ’サブフレーム３３５中に、ダウンリンククリアチャネルアセスメント（ＤＣＣＡ：downlink clear channel assessment）プロシージャ３４５が、ある時間期間の間、それの上でワイヤレス通信３１０が行われる共有無線周波数スペクトル帯域のチャネルを予約するために、図１または図２を参照しながら説明した基地局１０５、２０５、または２０５−ａのうちの１つまたは複数など、１つまたは複数の基地局によって実行され得る。基地局による成功したＤＣＣＡプロシージャ３４５に続いて、基地局は、基地局がチャネルを予約したという指示を他の基地局または装置（たとえば、ＵＥ、Ｗｉ−Ｆｉアクセスポイントなど）に与えるために、チャネル使用ビーコン信号（ＣＵＢＳ）（たとえば、ダウンリンクＣＵＢＳ（Ｄ−ＣＵＢＳ３５０））を送信し得る。いくつかの例では、Ｄ−ＣＵＢＳ３５０は、複数のインターリーブリソースブロックを使用して送信され得る。このようにしてＤ−ＣＵＢＳ３５０を送信することは、Ｄ−ＣＵＢＳ３５０が、共有無線周波数スペクトル帯域の利用可能な周波数帯域幅の少なくともある割合を占有し、１つまたは複数の規制上の要件（たとえば、共有無線周波数スペクトル帯域上の送信が利用可能な周波数帯域幅の少なくとも８０％を占有する要件）を満たすことを可能にし得る。Ｄ−ＣＵＢＳ３５０は、いくつかの例では、ＬＴＥ／ＬＴＥ−Ａ  ＣＲＳまたはチャネル状態情報基準信号（ＣＳＩ−ＲＳ）の形態と同様の形態をとり得る。ＤＣＣＡプロシージャ３４５が失敗したとき、Ｄ−ＣＵＢＳ３５０は送信されないことがある。
【００５９】
[0079]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間として、いくつかのＵＥによって使用され得る。Ｓ’サブフレーム３３５の第２の部分は、ＤＣＣＡプロシージャ３４５のために使用され得る。Ｓ’サブフレーム３３５の第３の部分は、Ｄ−ＣＵＢＳ３５０を送信するために、共有無線周波数スペクトル帯域のチャネルへのアクセスを求める競合に成功した１つまたは複数の基地局によって使用され得る。
【００６０】
[0080]Ｓサブフレーム３３０中に、アップリンクＣＣＡ（ＵＣＣＡ）プロシージャ３６５が、ある時間期間の間、それの上でワイヤレス通信３１０が行われるチャネルを予約するために、図１または図２を参照しながら上記で説明したＵＥ１１５、２１５、２１５−ａ、２１５−ｂ、または２１５−ｃのうちの１つまたは複数など、１つまたは複数のＵＥによって実行され得る。ＵＥによる成功したＵＣＣＡプロシージャ３６５に続いて、ＵＥは、ＵＥがチャネルを予約したという指示を他のＵＥまたは装置（たとえば、基地局、Ｗｉ−Ｆｉアクセスポイントなど）に与えるために、アップリンクＣＵＢＳ（Ｕ−ＣＵＢＳ３７０）を送信し得る。いくつかの例では、Ｕ−ＣＵＢＳ３７０は、複数のインターリーブリソースブロックを使用して送信され得る。このようにしてＵ−ＣＵＢＳ３７０を送信することは、Ｕ−ＣＵＢＳ３７０が、共有無線周波数スペクトル帯域の利用可能な周波数帯域幅の少なくともある割合を占有し、１つまたは複数の規制上の要件（たとえば、共有無線周波数スペクトル帯域上の送信が利用可能な周波数帯域幅の少なくとも８０％を占有する要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。ＵＣＣＡプロシージャ３６５が失敗したとき、Ｕ−ＣＵＢＳ３７０は送信されないことがある。
【００６１】
[0081]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５として、いくつかの基地局によって使用され得る。Ｓサブフレーム３３０の第２の部分は、ガード期間（ＧＰ）３６０として使用され得る。Ｓサブフレーム３３０の第３の部分は、ＵＣＣＡプロシージャ３６５のために使用され得る。Ｓサブフレーム３３０の第４の部分は、アップリンクパイロットタイムスロット（ＵｐＰＴＳ：uplink pilot time slot）としてまたはＵ−ＣＵＢＳ３７０を送信するために、共有無線周波数スペクトル帯域のチャネルへのアクセスを求める競合に成功した１つまたは複数のＵＥによって使用され得る。
【００６２】
[0082]いくつかの例では、ＤＣＣＡプロシージャ３４５またはＵＣＣＡプロシージャ３６５は、単一のＣＣＡプロシージャの実行を含み得る。他の例では、ＤＣＣＡプロシージャ３４５またはＵＣＣＡプロシージャ３６５は、拡張ＣＣＡプロシージャの実行を含み得る。拡張ＣＣＡプロシージャは、ランダムな数のＣＣＡプロシージャを含み得、いくつかの例では、複数のＣＣＡプロシージャを含み得る。したがって、ＤＣＣＡプロシージャおよびＵＣＣＡプロシージャという用語は、単一のＣＣＡプロシージャまたは拡張ＣＣＡプロシージャのいずれかの実行をカバーするのに十分広義であるものとする。ＬＢＴ無線フレーム中の基地局またはＵＥによる実行のための、単一のＣＣＡプロシージャまたは拡張ＣＣＡプロシージャの選択はＬＢＴルールに基づき得る。場合によっては、ＣＣＡプロシージャという用語は、本開示では、単一のＣＣＡプロシージャまたは拡張ＣＣＡプロシージャのいずれかを指すために、一般的な意味で使用されることがある。
【００６３】
[0083]例として、ＬＢＴ無線フレーム３１５は、ＤＤＤＤＤＤＳＵＵＳ’ＴＤＤフレーム構造を有する。他の例では、ＬＢＴ無線フレームは異なるＴＤＤフレーム構造を有し得る。たとえば、ＬＢＴフレームは、拡張干渉緩和およびトラフィック適応（ｅＩＭＴＡ：enhanced interference mitigation and traffic adaptation）において使用されるＴＤＤフレーム構造のうちの１つを有し得る。
【００６４】
[0084]図４に、本開示の様々な態様による、共有無線周波数スペクトル帯域における１つまたは複数のワイヤレス通信のために使用されるリソースブロック４０５の図４００を示す。いくつかの例では、リソースブロック４０５は、図３を参照しながら説明したダウンリンクサブフレーム３２０の一部として送信される１つまたは複数のリソースブロックの一例であり得る。
【００６５】
[0085]例として、リソースブロック４０５は、時間または周波数次元に延在する（たとえば、リソース要素４１０または４１５を含む）複数のリソース要素を含み得る。いくつかの例では、リソースブロック４０５は、時間次元における（０〜１３で番号付けされた）１４個のＯＦＤＭシンボル期間にわたるリソース要素、２つのスロット４２０および４２５、または１つのサブフレーム４３０と、周波数帯域幅（ＢＷ）にわたる１２個の周波数サブキャリア（サブキャリア）とを含み得る。いくつかの例では、サブフレーム４３０の持続時間は１ミリ秒であり得る。
【００６６】
[0086]いくつかの例では、リソースブロック４０５は、制御領域４３５を定義する少なくとも１つのシンボル期間の第１のセットと、データ領域４４０を定義する少なくとも１つのシンボル期間の第２のセットとを含みであり得る。例として、リソースブロック４０５の制御領域４３５は、リソースブロック４０５の第１のシンボル期間（０）と、第２のシンボル期間（１）と、第３のシンボル期間（２）とを含むことが示され、データ領域４４０は、リソースブロック４０５の第４のシンボル期間（３）〜第１４のシンボル期間（１３）を含むことが示されている。
【００６７】
[0087]いくつかの例では、制御領域４３５は、ＣＲＳの送信と、少なくともＰＤＣＣＨ、ＰＣＦＩＣＨ、ＰＦＦＩＣＨ、ＰＨＩＣＨ、ＰＢＣＨ、またはｅＳＩＢの送信とを含み得る。ＰＣＦＩＣＨは、ダウンリンクサブフレームにおいて送信される制御領域のために使用されるＯＦＤＭシンボル期間の数の指示を含み得る。ＰＣＦＩＣＨは、基地局がダウンリンクサブフレームの後の次のダウンリンクサブフレームにおいてアクティブになるかどうかの指示をも含み得る。いくつかの例では、指示は、ＰＣＦＩＣＨにおける１つの余分のビットを含み得る。ＣＲＳの不在下で、ＰＦＦＩＣＨはＤＣＵＢＳと多重化され得る。しかしながら、ＣＲＳがダウンリンクサブフレームのために動的に生成され得るとき、ＰＦＦＩＣＨは、基地局が共有無線周波数スペクトル帯域へのアクセスを求める競合に勝った後、ダウンリンクサブフレーム（またはリソースブロック４０５）において送信され得る。ＰＦＦＩＣＨは、ＰＤＣＣＨ、ＰＣＦＩＣＨ、ＰＨＩＣＨなどによって使用される同じリソース要素グループ（ＲＥＧ）を共有し得る。ＰＨＩＣＨは、ＵＥから受信されたアップリンクサブフレームのグループに対するグループ確認応答（たとえば、ＵＥから受信されたいくつかの隣接アップリンクサブフレームの各々に対する確認応答ビットを有する確認応答）を含み得る。いくつかの例では、グループ確認応答は、巡回冗長検査（ＣＲＣ）ビットのセットとともに送信され得る。ＰＨＩＣＨの構造は、専用無線周波数スペクトル帯域においてＬＴＥ／ＬＴＥ  Ａ通信のために送信されるＰＨＩＣＨの構造、またはＣＲＣビットのセットとともにグループ確認応答を搬送するためのＰＤＣＣＨ様の構造であり得る。基地局は、サブフレームにわたって送信されるデータのためのＰＨＩＣＨリソースが衝突しないことを保証し得る（たとえば、基地局は、ＵＥ許可開始リソースブロックとアップリンクサブフレームの識別子とに応じてＰＨＩＣＨのために少なくとも１つのリソースを割り振り得る）。リソースブロック４０５を含むダウンリンクサブフレームが、Ｄ−ＣＥＴサブフレームにおいて送信されるのか、ＣＣＡサブフレームにおいて送信されるのかにかかわらず、ｅＳＩＢはＣＲＳベースｅＳＩＢであり得る。ＣＲＳベースｅＳＩＢを送信することの潜在的な利点は、プリコーディングがセル中のすべてのＵＥに対する均一なカバレージを可能にしないことと、広帯域チャネル推定がバースト的干渉に対するロバストネスを改善することができることと、ｅＰＤＣＣＨのための共通探索空間を定義する代わりに許可を割り振るためにＰＤＣＣＨを使用する能力とを含む。
【００６８】
[0088]いくつかの例では、共有無線周波数スペクトル帯域におけるダウンリンクサブフレーム（またはリソースブロック４０５）の送信は、送信がリソースブロックの周波数ＢＷの大部分にわたるという要件（たとえば、送信がリソースブロックの周波数ＢＷの８０％の最小帯域幅の占有率を満たすという要件）を有し得る。ＣＲＳベース送信のいくつかの例では、ＣＲＳは、リソースブロック４０５の第１のシンボル期間（０）において送信され得、単独で、または１つまたは複数の制御チャネルの送信と組み合わせて、最小帯域幅の占有率を満たし得る。しかしながら、いくつかの例では、ＣＲＳは、第２のシンボル期間（１）または第３のシンボル期間（２）において送信されないことがある。その結果、第２のシンボル期間（１）または第３のシンボル期間（２）において送信される１つまたは複数の制御チャネルは最小帯域幅の占有率を満たさないことがある。これらの後者の例では、第２のシンボル期間（１）または第３のシンボル期間（２）においてアグリゲーションレベルが、最小帯域幅の占有率を満たすために増加され得、あるいは第２のシンボル期間（１）または第３のシンボル期間（２）において少なくとも１つのトーン上でフィラーシンボルが送信され得る。フィラーシンボルは、いくつかの例では、ジャンクシンボル（たとえば、ＵＥによって復号または廃棄されないシンボル）を含み得る。
【００６９】
[0089]ＣＲＳが第１のシンボル期間（０）において送信される例では、基地局は、第１のシンボル期間（０）から第２のシンボル期間（１）を経て第３のシンボル期間（２）まで一定の送信電力を維持するために、第２のシンボル期間（１）または第３のシンボル期間（２）において送信電力をブーストし得る。いくつかの例では、基地局は、同じくまたは代替的に、制御領域４３５からデータ領域４４０まで一定の送信電力を維持するために、制御領域４３５における少なくとも１つのシンボル期間において送信電力をブーストし得る。いくつかの例では、基地局は、１つまたは複数のチャネルがその上で送信されるトーンの送信電力を増加させることによって、送信電力をブーストし得る。いくつかの例では、基地局は、追加のトーン上で追加のチャネルまたはジャンクシンボルを送信することによって送信電力をブーストし得る。一定の送信電力の維持は、基地局が、チャネル解放として他の送信装置によって解釈され得るより低い送信電力で送信するとき、他の送信装置が、チャネルを把持し、送信を開始することを防ぐ際に有用であり得る。
【００７０】
[0090]図５に、本開示の様々な態様による、共有無線周波数スペクトル帯域におけるＣＣＡ免除送信（ＣＥＴ）のためのリソース割振り一例５００を示す。ＣＥＴは、共有無線周波数スペクトル帯域へのアクセスを求める競合に勝つことなしに、および、いくつかの例では、ＣＣＡ（たとえば、ＤＣＣＡまたはＵＣＣＡ）を実行することなしに行われ得る。代わりに、事業者は、ＣＥＴを送信する目的でＣＣＡを実行することを免除され得る。
【００７１】
[0091]図示のように、ＣＥＴのためのリソース５０５の割振りは、たとえば、８０ミリ秒（８０ｍｓ）ごとに１回、またはＣＥＴ期間ごとに１回行われ得、ここで、ＣＥＴ期間は構成可能な周期性を有し得る。共有無線周波数スペクトル帯域におけるいくつかの事業者（たとえば、異なるＰＬＭＮ）の各々は、ＣＥＴを送信するための１つの別個のサブフレーム（図示）または複数のサブフレーム（図示せず）を与えられ得る。ＣＥＴが送信され得るサブフレームは、事前構成されたＣＥＴオケージョンと呼ばれることがある。例として、図５は、７つの異なる事業者（たとえば、事業者ＰＬＭＮ１、ＰＬＭＮ２、．．．、ＰＬＭＮ７）のための隣接するＣＥＴサブフレームを示している。そのようなＣＥＴ送信フレームワークは、（たとえば、事前構成されたアップリンクＣＥＴ（Ｕ−ＣＥＴ）オケージョンまたは事前構成されたダウンリンクＣＥＴ（Ｄ−ＣＥＴ）オケージョンの形態で）基地局とＵＥとの間のダウンリンクおよび／またはアップリンク送信に適用可能（たとえば、別々に適用可能）であり得る。いくつかの例では、Ｄ−ＣＥＴオケージョンは、ＣＲＳまたはｅＳＩＢを送信するために基地局によって使用され得る。
【００７２】
[0092]図５は同期事業者のＣＥＴのための例示的なリソース割振りを示しているが、リソースは非同期事業者のＣＥＴのためにも割り振られ得る。
【００７３】
[0093]図６に、本開示の様々な態様による、ワイヤレス通信において使用するための装置６０５のブロック図６００を示す。装置６０５は、図１または図２を参照しながら説明した基地局１０５、２０５、または２０５−ａのうちの１つまたは複数の態様の一例であり得る。装置６０５はまた、プロセッサであるか、またはプロセッサを含み得る。装置６０５は、受信機構成要素６１０、ワイヤレス通信管理構成要素６２０、または送信機構成要素６３０を含み得る。これらの構成要素の各々は互いと通信していることがある。
【００７４】
[0094]装置６０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００７５】
[0095]いくつかの例では、受信機構成要素６１０は、専用無線周波数スペクトル帯域（たとえば、ＬＴＥ／ＬＴＥ−Ａ通信のために使用可能な認可無線周波数スペクトル帯域など、無線周波数スペクトル帯域が様々な使用のためにユーザのサブセットに認可されているので、送信装置がそのアクセスを求めて競合しないことがある、無線周波数スペクトル帯域）または共有無線周波数スペクトル帯域（たとえば、送信装置がそのアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つの無線周波数（ＲＦ）受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明したように、ＬＴＥ／ＬＴＥ−Ａ通信のために使用され得る。受信機構成要素６１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、第１の無線周波数スペクトル帯域または第２の無線周波数スペクトル帯域上で確立され得る。
【００７６】
[0096]いくつかの例では、送信機構成要素６３０は、専用無線周波数スペクトル帯域または共有無線周波数スペクトル帯域上で送信するように動作可能な少なくとも１つのＲＦ送信機など、少なくとも１つのＲＦ送信機を含み得る。送信機構成要素６３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域上で確立され得る。
【００７７】
[0097]いくつかの例では、ワイヤレス通信管理構成要素６２０は、装置６０５のためのワイヤレス通信の１つまたは複数の態様を管理するために使用され得る。いくつかの例では、ワイヤレス通信管理構成要素６２０は、サブフレーム構成識別構成要素６３５またはＣＲＳ生成構成要素６４０を含み得る。
【００７８】
[0098]いくつかの例では、サブフレーム構成識別構成要素６３５は、共有無線周波数スペクトル帯域におけるダウンリンクサブフレームの構成を識別するために使用され得る。いくつかの例では、ダウンリンクサブフレームは、データ送信がＳＦＢＣに少なくとも部分的に基づく、ＵＥのためのデータ送信、ＣＲＳベースＣＱＩ測定サブフレーム、ＣＲＳベースｅＳＩＢ、自己スケジューリングモードでの共通探索空間許可の送信、ＰＣＦＩＣＨの送信、ＰＦＦＩＣＨの送信、ＰＤＣＣＨの送信、ＰＨＩＣＨの送信、またはＰＢＣＨの送信のうちの少なくとも１つを含むように構成され得る。ダウンリンクサブフレームは、他のまたは代替の送信を含むようにも構成され得る。ダウンリンクサブフレームがＣＲＳベースｅＳＩＢを含むように構成されたとき、ダウンリンクサブフレームはＤ−ＣＥＴサブフレームであり得、またはＣＲＳベースｅＳＩＢは、周期的に送信される複数のｅＳＩＢのうちの１つであり得る。
【００７９】
[0099]いくつかの例では、ＣＲＳ生成構成要素６４０は、サブフレーム構成識別構成要素６３５によって行われた識別に少なくとも部分的に基づいて、ダウンリンクサブフレームのためのＣＲＳを生成するために使用され得る。たとえば、ＣＲＳ生成構成要素６４０は、ダウンリンクサブフレームの構成が、データ送信がＳＦＢＣに少なくとも部分的に基づく、ＵＥのためのデータ送信、ＣＲＳベースＣＱＩ測定サブフレーム、ＣＲＳベースｅＳＩＢ、自己スケジューリングモードでの共通探索空間許可の送信、ＰＣＦＩＣＨの送信、ＰＦＦＩＣＨの送信、ＰＤＣＣＨの送信、ＰＨＩＣＨの送信、またはＰＢＣＨの送信のうちの少なくとも１つを含むとき、ダウンリンクサブフレームのためのＣＲＳを生成し得る。
【００８０】
[0100]図７に、本開示の様々な態様による、ワイヤレス通信において使用するための装置７０５のブロック図７００を示す。装置７０５は、図１または図２を参照しながら説明した基地局１０５、２０５、または２０５−ａのうちの１つまたは複数の態様、あるいは図６を参照しながら説明した装置６０５の態様の一例であり得る。装置７０５はまた、プロセッサであるか、またはプロセッサを含み得る。装置７０５は、受信機構成要素７１０、ワイヤレス通信管理構成要素７２０、または送信機構成要素７３０を含み得る。これらの構成要素の各々は互いと通信し得る。
【００８１】
[0101]装置７０５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００８２】
[0102]いくつかの例では、受信機構成要素７１０は、専用無線周波数スペクトル帯域（たとえば、ＬＴＥ／ＬＴＥ−Ａ通信のために使用可能な認可無線周波数スペクトル帯域など、無線周波数スペクトル帯域が、様々な使用のためにユーザのサブセットに認可されているので、送信装置がそのアクセスを求めて競合しないことがある、無線周波数スペクトル帯域）または共有無線周波数スペクトル帯域（たとえば、送信装置がそのアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１または図２を参照しながら説明したように、ＬＴＥ／ＬＴＥ−Ａ通信のために使用され得る。受信機構成要素７１０は、場合によっては、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機構成要素（たとえば、専用ＲＦスペクトル帯域のためのＬＴＥ／ＬＴＥ−Ａ受信機構成要素７１２）、および共有無線周波数スペクトル帯域上で通信するためのＬＴＥ／ＬＴＥ−Ａ受信機構成要素（たとえば、共有ＲＦスペクトル帯域のためのＬＴＥ／ＬＴＥ−Ａ受信機構成要素７１４）の形態をとり得る。専用ＲＦスペクトル帯域のためのＬＴＥ／ＬＴＥ−Ａ受信機構成要素７１２または共有ＲＦスペクトル帯域のためのＬＴＥ／ＬＴＥ−Ａ受信機構成要素７１４を含む受信機構成要素７１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【００８３】
[0103]いくつかの例では、送信機構成要素７３０は、専用無線周波数スペクトル帯域または共有無線周波数スペクトル帯域上で送信するように動作可能な少なくとも１つのＲＦ送信機など、少なくとも１つのＲＦ送信機を含み得る。送信機構成要素７３０は、場合によっては、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機構成要素（たとえば、専用ＲＦスペクトル帯域のためのＬＴＥ／ＬＴＥ−Ａ送信機構成要素７３２）、および共有無線周波数スペクトル帯域上で通信するためのＬＴＥ／ＬＴＥ−Ａ送信機構成要素（たとえば、共有ＲＦスペクトル帯域のためのＬＴＥ／ＬＴＥ−Ａ送信機構成要素７３４）の形態をとり得る。専用ＲＦスペクトル帯域のためのＬＴＥ／ＬＴＥ−Ａ送信機構成要素７３２または共有ＲＦスペクトル帯域のためのＬＴＥ／ＬＴＥ−Ａ送信機構成要素７３４を含む送信機構成要素７３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域上で確立され得る。
【００８４】
[0104]いくつかの例では、ワイヤレス通信管理構成要素７２０は、装置７０５のためのワイヤレス通信の１つまたは複数の態様を管理するために使用され得る。いくつかの例では、ワイヤレス通信管理構成要素７２０は、サブフレーム構成識別構成要素７３５、ＣＲＳ生成構成要素７４０、ＣＲＳシグナリング構成要素７４５、送信管理構成要素７５０、またはＣＣＡ構成要素７８０を含み得る。
【００８５】
[0105]いくつかの例では、サブフレーム構成識別構成要素７３５は、共有無線周波数スペクトル帯域におけるダウンリンクサブフレームの構成を識別するために使用され得る。いくつかの例では、ダウンリンクサブフレームは、データ送信がＳＦＢＣに少なくとも部分的に基づく、ＵＥのためのデータ送信、ＣＲＳベースＣＱＩ測定サブフレーム、ＣＲＳベースｅＳＩＢ、自己スケジューリングモードでの共通探索空間許可の送信、ＰＣＦＩＣＨの送信、ＰＦＦＩＣＨの送信、ＰＤＣＣＨの送信、ＰＨＩＣＨの送信、またはＰＢＣＨの送信のうちの少なくとも１つを含むように構成され得る。ダウンリンクサブフレームは、他のまたは代替の送信を含むようにも構成され得る。ダウンリンクサブフレームがＣＲＳベースｅＳＩＢを含むように構成されたとき、ダウンリンクサブフレームはＤ−ＣＥＴサブフレームであり得、またはＣＲＳベースｅＳＩＢは、周期的に送信される複数のｅＳＩＢのうちの１つであり得る。
【００８６】
[0106]いくつかの例では、ＣＲＳ生成構成要素７４０は、サブフレーム構成識別構成要素７３５によって行われた識別に少なくとも部分的に基づいて、ダウンリンクサブフレームのためのＣＲＳを生成するために使用され得る。たとえば、ＣＲＳ生成構成要素７４０は、ダウンリンクサブフレームの構成が、データ送信がＳＦＢＣに少なくとも部分的に基づく、ＵＥのためのデータ送信、ＣＲＳベースＣＱＩ測定サブフレーム、ＣＲＳベースｅＳＩＢ、自己スケジューリングモードでの共通探索空間許可の送信、ＰＣＦＩＣＨの送信、ＰＦＦＩＣＨの送信、ＰＤＣＣＨの送信、ＰＨＩＣＨの送信、またはＰＢＣＨの送信のうちの少なくとも１つを含むとき、ダウンリンクサブフレームのためのＣＲＳを生成し得る。
【００８７】
[0107]いくつかの例では、ＣＲＳシグナリング構成要素７４５は、ダウンリンクサブフレームにおけるＣＲＳの存在をシグナリングするために使用され得る。いくつかの例では、ＣＲＳの存在をシグナリングすることは、キャリア上のＰＤＣＣＨまたはｅＰＤＣＣＨ中に含まれるＤＣＩ中でＣＲＳの存在をシグナリングすることを含み得、ここで、シグナリングは、ＰＤＣＣＨ／ｅＰＤＣＣＨキャリアとは異なるキャリア上で送信され得る。場合によっては、ＣＲＳの存在をシグナリングすることは、認可キャリアまたは無認可キャリア上で送信され得る。クロスキャリアスケジューリングが使用されるとき、ＰＤＣＣＨ／ｅＰＤＣＣＨ中に含まれるＤＣＩの１ビットが、ＣＲＳの存在をシグナリングするために使用され得る。自己スケジューリングが使用されるとき、ｅＰＤＣＣＨ中に含まれるＤＣＩの１ビットが、ＣＲＳの存在をシグナリングするために使用され得る。ＤＣＩは、ＣＲＳを復号するより前にＵＥによって復号され得る。
【００８８】
[0108]いくつかの例では、送信管理構成要素７５０は、ダウンリンクサブフレームを送信する１つまたは複数の態様を管理するために使用され得る。いくつかの例では、ダウンリンクサブフレームは、共有無線周波数スペクトル帯域へのアクセスを求める競合に勝つことに続く第１のダウンリンクサブフレームとして送信され得る。いくつかの例では、ダウンリンクサブフレームは、共有無線周波数スペクトル帯域へのアクセスを求める競合に勝つことに続く第１のダウンリンクサブフレーム以外のダウンリンクサブフレームとして送信され得る。いくつかの例では、ダウンリンクサブフレームはＤ−ＣＥＴサブフレームとして送信され得る。
【００８９】
[0109]いくつかの例では、送信管理構成要素７５０は、制御送信管理構成要素７５５、ＣＲＳ送信管理構成要素７６０、データ送信管理構成要素７６５、時間および周波数リソース選択構成要素７７０、または電力調整構成要素７７５を含み得る。
【００９０】
[0110]いくつかの例では、制御送信管理構成要素７５５は、ダウンリンクサブフレームの第１のシンボル期間を含む少なくとも１つのシンボル期間の第１のセット中で、ＰＣＦＩＣＨ、ＰＦＦＩＣＨ、ＰＤＣＣＨ、またはＰＨＩＣＨを含む制御領域を送信するために使用され得る。いくつかの例では、少なくとも１つのシンボル期間の第１のセットは、ダウンリンクサブフレームの少なくとも第２のシンボル期間をも含み得、制御領域は、ダウンリンクサブフレームの少なくとも第２のシンボル期間においてさらに送信され得る。ダウンリンクサブフレームの少なくとも第２のシンボル期間は、ダウンリンクサブフレームの第１のシンボル期間に続き得る。いくつかの例では、ダウンリンクサブフレームの第１のシンボル期間は、ダウンリンクサブフレームの時間的に第１のシンボル期間であり得る。
【００９１】
[0111]いくつかの例では、制御送信管理構成要素７５５は、装置７０５がダウンリンクサブフレームの後の次のダウンリンクサブフレームにおいてアクティブになるかどうかの指示をＰＣＦＩＣＨ中に含め得る。いくつかの例では、指示は、ＰＣＦＩＣＨにおける１つの余分のビットを含み得る。
【００９２】
[0112]いくつかの例では、制御送信管理構成要素７５５は、ＵＥ許可開始リソースブロックとアップリンクサブフレームの識別子とに応じてＰＨＩＣＨのために少なくとも１つのリソースを割り振り得る。いくつかの例では、制御送信管理構成要素７５５は、ＵＥから受信されたアップリンクサブフレームのグループに対するグループ確認応答をＰＨＩＣＨにおいて送信し得る。いくつかの例では、グループ確認応答は、ＣＲＣビットのセットとともに送信され得る。いくつかの例では、制御送信管理構成要素７５５は、第１のＵＥから受信されたアップリンクサブフレームの第１のグループに対する第１のグループ確認応答を、第１のダウンリンクサブフレームにおける第１のＰＨＩＣＨにおいて送信し、第２のＵＥから受信されたアップリンクサブフレームの第２のグループに対する第２のグループ確認応答を、第２のダウンリンクサブフレームにおける第２のＰＨＩＣＨにおいて送信し得る。アップリンクサブフレームの第１のグループは、アップリンクサブフレームの第２のグループとは異なるＴＤＤフレーム構造に関して受信されるので、第１のグループ確認応答と第２のグループ確認応答とは、異なるダウンリンクサブフレーム（たとえば、第１のダウンリンクサブフレームまたは第２のダウンリンクサブフレーム）において送信され得る。言い方を変えれば、グループ確認応答が送信されるダウンリンクサブフレームは、グループ確認応答がそれに対応するアップリンクサブフレームのグループのＴＤＤフレーム構造に少なくとも部分的に基づき得る。
【００９３】
[0113]いくつかの例では、ＣＲＳ送信管理構成要素７６０は、ＣＲＳ生成構成要素７４０によって生成されたＣＲＳを送信するために使用され得る。ダウンリンクサブフレームがＰＣＦＩＣＨ、ＰＦＦＩＣＨ、ＰＤＣＣＨ、またはＰＨＩＣＨを含むように構成されたとき、ＣＲＳは、ダウンリンクサブフレームの第１のシンボル期間において送信され得る。代替例では、ＣＲＳは、ダウンリンクサブフレームの第１のシンボル期間に加えてまたはそれの代わりに、ダウンリンクサブフレームの他のシンボル期間において送信され得る。
【００９４】
[0114]いくつかの例では、データ送信管理構成要素７６５は、データ領域を送信するために使用され得る。データ領域は、制御領域を含む少なくとも１つのシンボル期間の第１のセットに続く少なくとも１つのシンボル期間の第２のセット中で送信され得る。
【００９５】
[0115]いくつかの例では、時間および周波数リソース選択構成要素７７０は、ダウンリンクサブフレームの信号またはシンボルを送信するときに、最小帯域幅の占有率を満たすための１つまたは複数の時間リソースまたは周波数リソースを選択するために使用され得る。たとえば、制御送信管理構成要素７５５が、ダウンリンクサブフレームの第１のシンボル期間およびダウンリンクサブフレームの少なくとも第２のシンボル期間において制御領域を送信するとき、時間および周波数リソース選択構成要素７７０は、少なくとも第２のシンボル期間におけるアグリゲーションレベルを増加させるために使用され得る。同じくまたは代替的に、時間および周波数リソース選択構成要素７７０は、最小帯域幅の占有率を満たすために、少なくとも第２のシンボル期間における少なくとも１つのトーン上でフィラーシンボルを送信するために使用され得る。いくつかの例では、フィラーシンボルは、ＵＥによって復号可能または使用可能であるシンボルを含み得る。他の例では、フィラーシンボルは、ＵＥによって復号可能でないまたは使用可能でないジャンクシンボルを含み得る。
【００９６】
[0116]いくつかの例では、電力調整構成要素７７５は、送信されるダウンリンクサブフレームの送信電力を調整するために使用され得る。たとえば、制御送信管理構成要素７５５が、ダウンリンクサブフレームの第１のシンボル期間およびダウンリンクサブフレームの少なくとも第２のシンボル期間において制御領域を送信するとき、電力調整構成要素７７５は、第１のシンボル期間から少なくとも第２のシンボル期間まで一定の送信電力を維持するために、少なくとも第２のシンボル期間における送信電力をブーストするために使用され得る。いくつかの例では、ＣＲＳは、ダウンリンクサブフレームの第１のシンボル期間において送信されるが、ダウンリンクサブフレームの少なくとも第２のシンボル期間において送信されないので、少なくとも第２のシンボル期間における送信電力がブーストされ得る。別の例として、電力調整構成要素７７５は、制御領域からデータ領域まで一定の送信電力を維持するために、制御領域中の少なくとも１つのシンボル期間における送信電力をブーストするために使用され得る。
【００９７】
[0117]いくつかの例では、ＣＣＡ構成要素７８０は、共有無線周波数スペクトル帯域へのアクセスを求めて競合するために使用され得る。いくつかの例では、ＣＣＡ構成要素７８０は、たとえば、図３を参照しながら説明したように、ＤＣＣＡを実行することによって、共有無線周波数スペクトル帯域へのアクセスを求めて競合し得る。ＤＣＣＡは、いくつかのコンポーネントキャリアの各々について実行され得る。共有無線周波数スペクトル帯域におけるコンポーネントキャリアについて、共有無線周波数スペクトル帯域へのアクセスを求める競合に勝つと、ＣＣＡ構成要素７８０は、ワイヤレス通信管理構成要素７２０が、第２の無線周波数スペクトル帯域におけるコンポーネントキャリア上でＣＵＢＳを送信することを可能にし、その後、ワイヤレス通信管理構成要素７２０が、共有無線周波数スペクトル帯域におけるコンポーネントキャリア上でデータまたは制御信号を送信することを可能にし得る。
【００９８】
[0118]いくつかの例では、図６および図７を参照しながら説明した装置６０５および７０５の態様が組み合わせられ得る。
【００９９】
[0119]図８に、本開示の様々な態様による、ワイヤレス通信において使用するための装置８１５のブロック図８００を示す。装置８１５は、図１または図２を参照しながら説明したＵＥ１１５、２１５、２１５−ａ、２１５−ｂ、または２１５−ｃのうちの１つまたは複数の態様の一例であり得る。装置８１５はまた、プロセッサであるか、またはプロセッサを含み得る。装置８１５は、受信機構成要素８１０、ワイヤレス通信管理構成要素８２０、または送信機構成要素８３０を含み得る。これらの構成要素の各々は互いと通信し得る。
【０１００】
[0120]装置８１５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１０１】
[0121]いくつかの例では、受信機構成要素８１０は、専用無線周波数スペクトル帯域（たとえば、ＬＴＥ／ＬＴＥ−Ａ通信のために使用可能な認可無線周波数スペクトル帯域など、無線周波数スペクトル帯域が、様々な使用のためにユーザのサブセットに認可されているので、送信装置がそれのためにアクセスを求めて競合しないことがある、無線周波数スペクトル帯域）または共有無線周波数スペクトル帯域（たとえば、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明したように、ＬＴＥ／ＬＴＥ−Ａ通信のために使用され得る。受信機構成要素８１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、第１の無線周波数スペクトル帯域または第２の無線周波数スペクトル帯域上で確立され得る。
【０１０２】
[0122]いくつかの例では、送信機構成要素８３０は、専用無線周波数スペクトル帯域または共有無線周波数スペクトル帯域上で送信するように動作可能な少なくとも１つのＲＦ送信機など、少なくとも１つのＲＦ送信機を含み得る。送信機構成要素８３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域上で確立され得る。
【０１０３】
[0123]いくつかの例では、ワイヤレス通信管理構成要素８２０は、装置８１５のためのワイヤレス通信の１つまたは複数の態様を管理するために使用され得る。いくつかの例では、ワイヤレス通信管理構成要素８２０は、ＣＲＳ識別構成要素８３５またはＣＲＳベース動作管理構成要素８４０を含み得る。
【０１０４】
[0124]いくつかの例では、ＣＲＳ識別構成要素８３５は、共有無線周波数スペクトル帯域におけるダウンリンクサブフレームにおけるＣＲＳの存在を動的に決定するために使用され得る。
【０１０５】
[0125]いくつかの例では、ＣＲＳベース動作管理構成要素８４０は、ＣＲＳ識別構成要素８３５によって行われた動的決定に応答して、ダウンリンクサブフレーム中に少なくとも１つの動作を実行するために使用され得る。
【０１０６】
[0126]図９に、本開示の様々な態様による、ワイヤレス通信において使用するための装置９１５のブロック図９００を示す。装置９１５は、図１または図２を参照しながら説明したＵＥ１１５、２１５、２１５−ａ、２１５−ｂ、または２１５−ｃのうちの１つまたは複数の態様、あるいは図８を参照しながら説明した装置８１５の態様の一例であり得る。装置９１５はまた、プロセッサであるか、またはプロセッサを含み得る。装置９１５は、受信機構成要素９１０、ワイヤレス通信管理構成要素９２０、または送信機構成要素９３０を含み得る。これらの構成要素の各々は互いと通信し得る。
【０１０７】
[0127]装置９１５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１０８】
[0128]いくつかの例では、受信機構成要素９１０は、専用無線周波数スペクトル帯域（たとえば、ＬＴＥ／ＬＴＥ−Ａ通信のために使用可能な認可無線周波数スペクトル帯域など、無線周波数スペクトル帯域が、様々な使用のためにユーザのサブセットに認可されているので、送信装置がそれのためにアクセスを求めて競合しないことがある、無線周波数スペクトル帯域）または共有無線周波数スペクトル帯域（たとえば、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１または図２を参照しながら説明したように、ＬＴＥ／ＬＴＥ−Ａ通信のために使用され得る。受信機構成要素９１０は、場合によっては、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機構成要素（たとえば、専用ＲＦスペクトル帯域のためのＬＴＥ／ＬＴＥ−Ａ受信機構成要素９１２）、および共有無線周波数スペクトル帯域上で通信するためのＬＴＥ／ＬＴＥ−Ａ受信機構成要素（たとえば、共有ＲＦスペクトル帯域のためのＬＴＥ／ＬＴＥ−Ａ受信機構成要素９１４）の形態をとり得る。専用ＲＦスペクトル帯域のためのＬＴＥ／ＬＴＥ−Ａ受信機構成要素９１２または共有ＲＦスペクトル帯域のためのＬＴＥ／ＬＴＥ−Ａ受信機構成要素９１４を含む受信機構成要素９１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【０１０９】
[0129]いくつかの例では、送信機構成要素９３０は、専用無線周波数スペクトル帯域または共有無線周波数スペクトル帯域上で送信するように動作可能な少なくとも１つのＲＦ送信機など、少なくとも１つのＲＦ送信機を含み得る。送信機構成要素９３０は、場合によっては、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機構成要素（たとえば、専用ＲＦスペクトル帯域のためのＬＴＥ／ＬＴＥ−Ａ送信機構成要素９３２）、および共有無線周波数スペクトル帯域上で通信するためのＬＴＥ／ＬＴＥ−Ａ送信機構成要素（たとえば、共有ＲＦスペクトル帯域のためのＬＴＥ／ＬＴＥ−Ａ送信機構成要素９３４）の形態をとり得る。専用ＲＦスペクトル帯域のためのＬＴＥ／ＬＴＥ−Ａ送信機構成要素９３２または共有ＲＦスペクトル帯域のためのＬＴＥ／ＬＴＥ−Ａ送信機構成要素９３４を含む送信機構成要素９３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域上で確立され得る。
【０１１０】
[0130]いくつかの例では、ワイヤレス通信管理構成要素９２０は、装置９１５のためのワイヤレス通信の１つまたは複数の態様を管理するために使用され得る。いくつかの例では、ワイヤレス通信管理構成要素９２０は、ＣＲＳ識別構成要素９３５、ＣＲＳベース動作管理構成要素９４０、またはＣＣＡ構成要素９６５を含み得る。
【０１１１】
[0131]いくつかの例では、ＣＲＳ識別構成要素９３５は、共有無線周波数スペクトル帯域におけるダウンリンクサブフレームにおけるＣＲＳの存在を動的に決定するために使用され得る。いくつかの例では、ＣＲＳ識別構成要素９３５は、推論構成要素９４５またはＤＣＩ復号構成要素９５０を含み得る。
【０１１２】
[0132]いくつかの例では、推論構成要素９４５は、ＣＱＩ測定サブフレームまたはｅＳＩＢを含むサブフレームのうちの少なくとも１つにおけるＣＲＳの存在を推論するために使用され得る。いくつかの例では、ｅＳＩＢを含むサブフレームはＤ−ＣＥＴサブフレームであり得、またはｅＳＩＢは、周期的に受信される複数のｅＳＩＢのうちの１つであり得る。
【０１１３】
[0133]いくつかの例では、ＤＣＩ復号構成要素９５０は、ＰＤＣＣＨまたはｅＰＤＣＣＨにおいて受信されたＤＣＩを復号するために使用され得る。クロスキャリアスケジューリングが使用されるとき、ＤＣＩを復号することは、ＰＤＣＣＨ／ｅＰＤＣＣＨ中に含まれるＤＣＩの１ビットを復号することを含み得る。自己スケジューリングが使用されるとき、ＤＣＩを復号することは、ｅＰＤＣＣＨ中に含まれるＤＣＩの１ビットを復号することを含み得る。ＤＣＩは、ＣＲＳを復号するより前にＵＥによって復号され得る。
【０１１４】
[0134]いくつかの例では、ＣＲＳベース動作管理構成要素９４０は、ＣＲＳ識別構成要素９３５によって行われた動的決定に応答して、ダウンリンクサブフレーム中に少なくとも１つの動作を実行するために使用され得る。いくつかの例では、ＣＲＳベース動作管理構成要素９４０は、チャネル推定管理構成要素９５５またはＣＲＳベース復号構成要素９６０を含み得る。
【０１１５】
[0135]いくつかの例では、チャネル推定管理構成要素９５５は、チャネル推定を取得するためにＣＲＳに対して測定を実行するために使用され得る。
【０１１６】
[0136]いくつかの例では、ＣＲＳベース復号構成要素９６０は、チャネル推定に少なくとも部分的に基づいて、ＰＣＦＩＣＨ、ＰＦＦＩＣＨ、ＰＤＣＣＨ、ＰＨＩＣＨ、ＰＢＣＨ、またはｅＳＩＢのうちの少なくとも１つを復号するために使用され得る。いくつかの例では、ｅＳＩＢはＤ−ＣＥＴサブフレーム中に含まれ得、またはｅＳＩＢは、周期的に受信される複数のｅＳＩＢのうちの１つであり得る。
【０１１７】
[0137]いくつかの例では、ＣＲＳベース動作管理構成要素９４０またはＣＲＳベース復号構成要素９６０は、基地局がダウンリンクサブフレームの後の次のダウンリンクサブフレームにおいてアクティブになるかどうかの指示をＰＣＦＩＣＨにおいて受信するために使用され得る。いくつかの例では、指示は、ＰＣＦＩＣＨにおける１つの余分のビットを含み得る。いくつかの例では、ＣＲＳベース動作管理構成要素９４０またはＣＲＳベース復号構成要素９６０は、アップリンクサブフレームのグループに対するグループ確認応答をＰＨＩＣＨにおいて受信するために使用され得る。いくつかの例では、グループ確認応答は、ＣＲＣビットのセットとともに受信され得る。
【０１１８】
[0138]いくつかの例では、ＣＲＳベース動作管理構成要素９４０またはＣＲＳベース復号構成要素９６０は、ダウンリンクサブフレームが含まれるフレームのＴＤＤフレーム構造に少なくとも部分的に基づいて、ダウンリンクサブフレームにおけるＰＨＩＣＨの存在を推論するために使用され得る。ＣＲＳベース動作管理構成要素９４０またはＣＲＳベース復号構成要素９６０は、次いで、ダウンリンクサブフレーム中にＰＨＩＣＨの送信を受信（たとえば、復号）するために使用され得る。
【０１１９】
[0139]いくつかの例では、ＣＣＡ構成要素９６５は、共有無線周波数スペクトル帯域へのアクセスを求めて競合するために使用され得る。いくつかの例では、ＣＣＡ構成要素９６５は、たとえば、図３を参照しながら説明したように、ＵＣＣＡを実行することによって、共有無線周波数スペクトル帯域へのアクセスを求めて競合し得る。ＵＣＣＡは、いくつかのコンポーネントキャリアの各々について実行され得る。共有無線周波数スペクトル帯域におけるコンポーネントキャリアについて、共有無線周波数スペクトル帯域へのアクセスを求める競合に勝つと、ＣＣＡ構成要素９６５は、ワイヤレス通信管理構成要素９２０が、第２の無線周波数スペクトル帯域におけるコンポーネントキャリア上でＣＵＢＳを送信することを可能にし、その後、ワイヤレス通信管理構成要素９２０が、共有無線周波数スペクトル帯域におけるコンポーネントキャリア上でデータまたは制御信号を送信することを可能にし得る。
【０１２０】
[0140]いくつかの例では、図８および図９を参照しながら説明した装置８１５および９１５の態様が組み合わせられ得る。
【０１２１】
[0141]図１０に、本開示の様々な態様による、ワイヤレス通信において使用するための基地局１００５（たとえば、ｅＮＢの一部または全部を形成する基地局）のブロック図１０００を示す。いくつかの例では、基地局１００５は、図１または図２を参照しながら説明した基地局１０５、２０５、または２０５−ａの１つまたは複数の態様、あるいは図６または図７を参照しながら説明した装置６０５または７０５の態様の一例であり得る。基地局１００５は、図１、図２、図３、図４、図５、図６、または図７を参照しながら説明した基地局の特徴および機能のうちの少なくともいくつかを実装するかまたは可能にするように構成され得る。
【０１２２】
[0142]基地局１００５は、基地局プロセッサ構成要素１０１０、基地局メモリ構成要素１０２０、（（１つまたは複数の）基地局トランシーバ構成要素１０５０によって表される）少なくとも１つの基地局トランシーバ構成要素、（（１つまたは複数の）基地局アンテナ１０５５によって表される）少なくとも１つの基地局アンテナ、または基地局ワイヤレス通信管理構成要素１０６０を含み得る。基地局１００５はまた、基地局通信構成要素１０３０またはネットワーク通信構成要素１０４０のうちの１つまたは複数を含み得る。これらの構成要素の各々は、１つまたは複数のバス１０３５を介して、直接または間接的に、互いと通信していることがある。
【０１２３】
[0143]基地局メモリ構成要素１０２０は、ランダムアクセスメモリ（ＲＡＭ）または読取り専用メモリ（ＲＯＭ）を含み得る。基地局メモリ構成要素１０２０は、実行されたとき、たとえば、共有無線周波数スペクトル帯域におけるダウンリンクサブフレームの構成を識別することと、ダウンリンクサブフレームの構成に少なくとも部分的に基づいて、ダウンリンクサブフレームのためのＣＲＳを生成することとを含む、ワイヤレス通信に関係する本明細書で説明する様々な機能を基地局プロセッサ構成要素１０１０に実行させるように構成された命令を含んでいるコンピュータ可読、コンピュータ実行可能コード１０２５を記憶し得る。代替的に、コード１０２５は、基地局プロセッサ構成要素１０１０によって直接的に実行可能ではないが、（たとえば、コンパイルされ、実行されたとき）本明細書で説明する機能のうちのいくつかを基地局１００５に実行させるように構成され得る。
【０１２４】
[0144]基地局プロセッサ構成要素１０１０は、インテリジェントハードウェアデバイス、たとえば、中央処理ユニット（ＣＰＵ）、マイクロコントローラ、ＡＳＩＣなどを含み得る。基地局プロセッサ構成要素１０１０は、（１つまたは複数の）基地局トランシーバ構成要素１０５０、基地局通信構成要素１０３０、またはネットワーク通信構成要素１０４０を通して受信された情報を処理し得る。基地局プロセッサ構成要素１０１０はまた、（１つまたは複数の）アンテナ１０５５を通した送信のために（１つまたは複数の）トランシーバ構成要素１０５０に送られるべき情報、１つまたは複数の他の基地局１００５−ａおよび１００５−ｂへの送信のために基地局通信構成要素１０３０に送られるべき情報、または図１を参照しながら説明したコアネットワーク１３０の１つまたは複数の態様の一例であり得る、コアネットワーク１０４５への送信のためにネットワーク通信構成要素１０４０に送られるべき情報を処理し得る。基地局プロセッサ構成要素１０１０は、単独で、または基地局ワイヤレス通信管理構成要素１０６０とともに、専用無線周波数スペクトル帯域（たとえば、ＬＴＥ／ＬＴＥ−Ａ通信のために使用可能な認可無線周波数スペクトル帯域など、無線周波数スペクトル帯域が、様々な使用のためにユーザのサブセットに認可されているので、装置がそれのためにアクセスを求めて競合しない、無線周波数スペクトル帯域）または共有無線周波数スペクトル帯域（たとえば、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で通信する（またはその帯域上での通信を管理する）様々な態様を扱い得る。
【０１２５】
[0145]（１つまたは複数の）基地局トランシーバ構成要素１０５０は、パケットを変調し、変調されたパケットを送信のために（１つまたは複数の）基地局アンテナ１０５５に与え、（１つまたは複数の）基地局アンテナ１０５５から受信されたパケットを復調するように構成されたモデムを含み得る。（１つまたは複数の）基地局トランシーバ構成要素１０５０は、いくつかの例では、１つまたは複数の基地局送信機構成要素および１つまたは複数の別個の基地局受信機構成要素として実装され得る。（１つまたは複数の）基地局トランシーバ構成要素１０５０は、専用無線周波数スペクトル帯域または共有無線周波数スペクトル帯域における通信をサポートし得る。（１つまたは複数の）基地局トランシーバ構成要素１０５０は、（１つまたは複数の）アンテナ１０５５を介して、図１または図２を参照しながら説明したＵＥ１１５、２１５、２１５−ａ、２１５−ｂ、または２１５−ｃのうちの１つまたは複数、あるいは図６または図７を参照しながら説明した装置６１５または７１５のうちの１つまたは複数など、１つまたは複数のＵＥまたは装置と双方向に通信するように構成され得る。基地局１００５は、たとえば、複数の基地局アンテナ１０５５（たとえば、アンテナアレイ）を含み得る。基地局１００５は、ネットワーク通信構成要素１０４０を通してコアネットワーク１０４５と通信し得る。基地局１００５はまた、基地局通信構成要素１０３０を使用して、基地局１００５−ａおよび１００５−ｂなど、他の基地局と通信し得る。
【０１２６】
[0146]基地局ワイヤレス通信管理構成要素１０６０は、専用無線周波数スペクトル帯域または共有無線周波数スペクトル帯域上でのワイヤレス通信に関係する図１、図２、図３、図４、図５、図６、または図７を参照しながら説明した特徴または機能の一部または全部を実行または制御するように構成され得る。たとえば、基地局ワイヤレス通信管理構成要素１０６０は、専用無線周波数スペクトル帯域または共有無線周波数スペクトル帯域を使用して、補足ダウンリンクモード、キャリアアグリゲーションモード、またはスタンドアロンモードをサポートするように構成され得る。基地局ワイヤレス通信管理構成要素１０６０は、専用無線周波数スペクトル帯域におけるＬＴＥ／ＬＴＥ−Ａ通信を扱うように構成された、専用ＲＦスペクトル帯域のための基地局ＬＴＥ／ＬＴＥ−Ａ構成要素１０６５と、共有無線周波数スペクトル帯域におけるＬＴＥ／ＬＴＥ−Ａ通信を扱うように構成された、共有ＲＦスペクトル帯域のための基地局ＬＴＥ／ＬＴＥ−Ａ構成要素１０７０とを含み得る。基地局ワイヤレス通信管理構成要素１０６０、またはそれの部分はプロセッサを含み得、あるいは基地局ワイヤレス通信管理構成要素１０６０の機能の一部または全部は、基地局プロセッサ構成要素１０１０によって実行されるか、または基地局プロセッサ構成要素１０１０とともに実行され得る。いくつかの例では、基地局ワイヤレス通信管理構成要素１０６０は、図６または図７を参照しながら説明したワイヤレス通信管理構成要素６２０または７２０の一例であり得る。
【０１２７】
[0147]図１１に、本開示の様々な態様による、ワイヤレス通信において使用するためのＵＥ１１１５のブロック図１１００を示す。ＵＥ１１１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるかまたはそれらの一部であり得る。ＵＥ１１１５は、いくつかの例では、モバイル動作を可能にするために、小型バッテリーなどの内部電源（図示せず）を有し得る。いくつかの例では、ＵＥ１１１５は、図１または図２を参照しながら説明したＵＥ１１５、２１５、２１５−ａ、２１５−ｂ、または２１５−ｃのうちの１つまたは複数の態様、あるいは図８または図９を参照しながら説明した装置８１５または９１５のうちの１つまたは複数の態様の一例であり得る。ＵＥ１１１５は、図１、図２、図３、図４、図５、図８、または図９を参照しながら説明したＵＥまたは装置の特徴および機能のうちの少なくともいくつかを実装するように構成され得る。
【０１２８】
[0148]ＵＥ１１１５は、ＵＥプロセッサ構成要素１１１０、ＵＥメモリ構成要素１１２０、（（１つまたは複数の）ＵＥトランシーバ構成要素１１３０によって表される）少なくとも１つのＵＥトランシーバ構成要素、（（１つまたは複数の）ＵＥアンテナ１１４０によって表される）少なくとも１つのＵＥアンテナ、またはＵＥワイヤレス通信管理構成要素１１６０を含み得る。これらの構成要素の各々は、１つまたは複数のバス１１３５を介して、直接または間接的に、互いと通信し得る。
【０１２９】
[0149]ＵＥメモリ構成要素１１２０はＲＡＭまたはＲＯＭを含み得る。ＵＥメモリ構成要素１１２０は、実行されたとき、たとえば、共有無線周波数スペクトル帯域におけるダウンリンクサブフレームにおけるＣＲＳの存在を動的に決定することと、動的決定に応答してダウンリンクサブフレーム中に少なくとも１つの動作を実行することとを含む、ワイヤレス通信に関係する本明細書で説明する様々な機能をＵＥプロセッサ構成要素１１１０に実行させるように構成された命令を含んでいるコンピュータ可読、コンピュータ実行可能コード１１２５を記憶し得る。代替的に、コード１１２５は、ＵＥプロセッサ構成要素１１１０によって直接的に実行可能ではないが、（たとえば、コンパイルされ、実行されたとき）本明細書で説明する機能のうちのいくつかをＵＥ１１１５に実行させるように構成され得る。
【０１３０】
[0150]ＵＥプロセッサ構成要素１１１０は、たとえば、ＣＰＵ、マイクロコントローラ、ＡＳＩＣなど、インテリジェントハードウェアデバイスを含み得る。ＵＥプロセッサ構成要素１１１０は、（１つまたは複数の）ＵＥトランシーバ構成要素１１３０を通して受信された情報または（１つまたは複数の）ＵＥアンテナ１１４０を通した送信のために（１つまたは複数の）ＵＥトランシーバ構成要素１１３０に送られるべき情報を処理し得る。ＵＥプロセッサ構成要素１１１０は、単独で、またはＵＥワイヤレス通信管理構成要素１１６０とともに、専用無線周波数スペクトル帯域（たとえば、ＬＴＥ／ＬＴＥ−Ａ通信のために使用可能な認可無線周波数スペクトル帯域など、無線周波数スペクトル帯域が、様々な使用のためにユーザのサブセットに認可されているので、装置がそれのためにアクセスを求めて競合しない、無線周波数スペクトル帯域）または共有無線周波数スペクトル帯域（たとえば、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で通信する（またはその帯域上での通信を管理する）様々な態様を扱い得る。
【０１３１】
[0151]（１つまたは複数の）ＵＥトランシーバ構成要素１１３０は、パケットを変調し、変調されたパケットを送信のために（１つまたは複数の）ＵＥアンテナ１１４０に与え、（１つまたは複数の）ＵＥアンテナ１１４０から受信されたパケットを復調するように構成されたモデムを含み得る。（１つまたは複数の）ＵＥトランシーバ構成要素１１３０は、いくつかの例では、１つまたは複数のＵＥ送信機構成要素および１つまたは複数の別個のＵＥ受信機構成要素として実装され得る。（１つまたは複数の）ＵＥトランシーバ構成要素１１３０は、認可無線周波数スペクトル帯域または無認可無線周波数スペクトル帯域における通信をサポートし得る。（１つまたは複数の）ＵＥトランシーバ構成要素１１３０は、（１つまたは複数の）ＵＥアンテナ１１４０を介して、図１、図２、または図１０を参照しながら説明した基地局１０５、２０５、２０５−ａ、または１００５のうちの１つまたは複数、あるいは図６または図７を参照しながら説明した装置６０５または７０５と双方向に通信するように構成され得る。ＵＥ１１１５は単一のＵＥアンテナを含み得るが、ＵＥ１１１５が複数のＵＥアンテナ１１４０を含み得る例があり得る。
【０１３２】
[0152]ＵＥ状態構成要素１１５０は、たとえば、無線リソース制御（ＲＲＣ）アイドル状態とＲＲＣ接続状態との間のＵＥ１１１５の遷移を管理するために使用され得、１つまたは複数のバス１１３５を介して、直接または間接的に、ＵＥ１１１５の他の構成要素と通信していることがある。ＵＥ状態構成要素１１５０、またはそれの部分はプロセッサを含み得、あるいはＵＥ状態構成要素１１５０の機能の一部または全部は、ＵＥプロセッサ構成要素１１１０によって実行されるか、またはＵＥプロセッサ構成要素１１１０とともに実行され得る。
【０１３３】
[0153]ＵＥワイヤレス通信管理構成要素１１６０は、専用無線周波数スペクトル帯域または共有無線周波数スペクトル帯域上でのワイヤレス通信に関係する図１、図２、図３、図４、図５、図８、または図９を参照しながら説明したＵＥまたは装置の特徴または機能の一部または全部を実行または制御するように構成され得る。たとえば、ＵＥワイヤレス通信管理構成要素１１６０は、専用無線周波数スペクトル帯域または共有無線周波数スペクトル帯域を使用して、補足ダウンリンクモード、キャリアアグリゲーションモード、またはスタンドアロンモードをサポートするように構成され得る。ＵＥワイヤレス通信管理構成要素１１６０は、専用無線周波数スペクトル帯域におけるＬＴＥ／ＬＴＥ−Ａ通信を扱うように構成された、専用ＲＦスペクトル帯域のためのＵＥ  ＬＴＥ／ＬＴＥ−Ａ構成要素１１６５と、共有無線周波数スペクトル帯域におけるＬＴＥ／ＬＴＥ−Ａ通信を扱うように構成された、共有ＲＦスペクトル帯域のためのＵＥ  ＬＴＥ／ＬＴＥ−Ａ構成要素１１７０とを含み得る。ＵＥワイヤレス通信管理構成要素１１６０、またはそれの部分はプロセッサを含み得、あるいはＵＥワイヤレス通信管理構成要素１１６０の機能の一部または全部は、ＵＥプロセッサ構成要素１１１０によって実行されるか、またはＵＥプロセッサ構成要素１１１０とともに実行され得る。いくつかの例では、ＵＥワイヤレス通信管理構成要素１１６０は、図８または図９を参照しながら説明したワイヤレス通信管理構成要素８２０または９２０の一例であり得る。
【０１３４】
[0154]図１２は、本開示の様々な態様による、基地局１２０５とＵＥ１２１５とを含むＭＩＭＯ通信システム１２００のブロック図である。ＭＩＭＯ通信システム１２００は、図１または図２を参照しながら説明したワイヤレス通信システム１００または２００の態様を示し得る。基地局１２０５は、図１、図２、または図１０を参照しながら説明した基地局１０５、２０５、２０５−ａ、または１００５の態様、あるいは図６または図７を参照しながら説明した装置６０５または７０５の態様の一例であり得る。基地局１２０５はアンテナ１２３４〜１２３５を装備し得、ＵＥ１２１５はアンテナ１２５２〜１２５３を装備し得る。ＭＩＭＯ通信システム１２００では、基地局１２０５は、同時に複数の通信リンクを介してデータを送ることが可能であり得る。各通信リンクは「レイヤ」と呼ばれることがあり、通信リンクの「ランク」は、通信のために使用されるレイヤの数を示し得る。たとえば、基地局１２０５が２つの「レイヤ」を送信する２×２ＭＩＭＯ通信システムでは、基地局１２０５とＵＥ１２１５との間の通信リンクのランクは２である。
【０１３５】
[0155]基地局１２０５において、送信（Ｔｘ）プロセッサ１２２０がデータソースからデータを受信し得る。送信プロセッサ１２２０はデータを処理し得る。送信プロセッサ１２２０はまた、制御シンボルまたは基準シンボルを生成し得る。送信ＭＩＭＯプロセッサ１２３０が、適用可能な場合、データシンボル、制御シンボル、または基準シンボルに対して空間処理（たとえば、プリコーディング）を実行し得、出力シンボルストリームを送信変調器１２３２〜１２３３に与え得る。各変調器１２３２〜１２３３は、出力サンプルストリームを取得するために、（たとえば、ＯＦＤＭなどのために）それぞれの出力シンボルストリームを処理し得る。各変調器１２３２〜１２３３はさらに、ＤＬ信号を取得するために、出力サンプルストリームを処理（たとえば、アナログへの変換、増幅、フィルタ処理、およびアップコンバート）し得る。一例では、変調器１２３２〜１２３３からのＤＬ信号は、それぞれアンテナ１２３４〜１２３５を介して送信され得る。
【０１３６】
[0156]ＵＥ１２１５は、図１、図２、または図１１を参照しながら説明したＵＥ１１５、２１５、２１５−ａ、２１５−ｂ、２１５−ｃ、または１１１５の態様、あるいは図８または図９を参照しながら説明した装置８１５または９１５の態様の一例であり得る。ＵＥ１２１５において、ＵＥアンテナ１２５２〜１２５３は、基地局１２０５からＤＬ信号を受信し得、受信信号をそれぞれ変調器／復調器１２５４〜１２５５に与え得る。各変調器／復調器１２５４〜１２５５は、入力サンプルを取得するために、それぞれの受信信号を調整（たとえば、フィルタ処理、増幅、ダウンコンバート、およびデジタル化）し得る。各変調器／復調器１２５４〜１２５５はさらに、受信シンボルを取得するために、（たとえば、ＯＦＤＭなどのために）入力サンプルを処理し得る。ＭＩＭＯ検出器１２５６が、すべての変調器／復調器１２５４〜１２５５から受信シンボルを取得し、適用可能な場合は受信シンボルに対してＭＩＭＯ検出を実行し、検出されたシンボルを与え得る。受信（Ｒｘ）プロセッサ１２５８は、検出されたシンボルを処理（たとえば、復調、デインターリーブ、および復号）し、ＵＥ１２１５のための復号されたデータをデータ出力に与え、復号された制御情報をプロセッサ１２８０、またはメモリ１２８２に与え得る。
【０１３７】
[0157]プロセッサ１２８０は、場合によっては、ＵＥワイヤレス通信管理構成要素１２８４をインスタンス化するための記憶された命令を実行し得る。ＵＥワイヤレス通信管理構成要素１２８４は、図８、図９、または図１１を参照しながら説明したワイヤレス通信管理構成要素８２０、９２０、または１１２０の態様の一例であり得る。
【０１３８】
[0158]アップリンク（ＵＬ）上で、ＵＥ１２１５において、送信プロセッサ１２６４が、データソースからデータを受信し、処理し得る。送信プロセッサ１２６４はまた、基準信号のための基準シンボルを生成し得る。送信プロセッサ１２６４からのシンボルは、適用可能な場合は送信ＭＩＭＯプロセッサ１２６６によってプリコーディングされ、さらに（たとえば、ＳＣ−ＦＤＭＡなどのために）変調器／復調器１２５４〜１２５５によって処理され、基地局１２０５から受信された送信パラメータに従って基地局１２０５に送信され得る。基地局１２０５において、ＵＥ１２１５からのＵＬ信号がアンテナ１２３４〜１２３５によって受信され、復調器１２３２〜１２３３によって処理され、適用可能な場合はＭＩＭＯ検出器１２３６によって検出され、受信プロセッサ１２３８によってさらに処理され得る。受信プロセッサ１２３８は、復号されたデータをデータ出力とプロセッサ１２４０またはメモリ１２４２とに与え得る。
【０１３９】
[0159]プロセッサ１２４０は、場合によっては、基地局ワイヤレス通信管理構成要素１２８６をインスタンス化するための記憶された命令を実行し得る。基地局ワイヤレス通信管理構成要素１２８６は、図６、図７、または図１０を参照しながら説明したワイヤレス通信管理構成要素６２０、７２０、または１０６０の態様の一例であり得る。
【０１４０】
[0160]ＵＥ１２１５の構成要素は、適用可能な機能の一部または全部をハードウェアで実行するように適応された１つまたは複数のＡＳＩＣを用いて、個々にまたはまとめて実装され得る。言及された構成要素の各々は、ＭＩＭＯ通信システム１２００の動作に関係する１つまたは複数の機能を実行するための手段であり得る。同様に、基地局１２０５の構成要素は、適用可能な機能の一部または全部をハードウェアで実行するように適応された１つまたは複数のＡＳＩＣを用いて、個々にまたはまとめて実装され得る。言及された構成要素の各々は、ＭＩＭＯ通信システム１２００の動作に関係する１つまたは複数の機能を実行するための手段であり得る。
【０１４１】
[0161]図１３は、本開示の様々な態様による、ワイヤレス通信のための例示的な方法１３００を示すフローチャートである。明快のために、方法１３００について、図１、図２、図１０、または図１２を参照しながら説明した基地局１０５、２０５、２０５−ａ、１００５、または１２０５のうちの１つまたは複数の態様、あるいは図６または図７を参照しながら説明した装置６０５または７０５のうちの１つまたは複数の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１４２】
[0162]ブロック１３０５において、方法１３００は、共有無線周波数スペクトル帯域におけるダウンリンクサブフレームの構成を識別することを含み得る。いくつかの例では、ダウンリンクサブフレームは、ＵＥのためのデータ送信、前記データ送信はＳＦＢＣに少なくとも部分的に基づく、ＣＲＳベースＣＱＩ測定サブフレーム、ＣＲＳベースｅＳＩＢ、自己スケジューリングモードでの共通探索空間許可の送信、ＰＣＦＩＣＨの送信、ＰＦＦＩＣＨの送信、ＰＤＣＣＨの送信、ＰＨＩＣＨの送信、またはＰＢＣＨの送信のうちの少なくとも１つを含むように構成され得る。ダウンリンクサブフレームは、他のまたは代替の送信を含むようにも構成され得る。ダウンリンクサブフレームがＣＲＳベースｅＳＩＢを含むように構成されたとき、ダウンリンクサブフレームはＤ−ＣＥＴサブフレームであり得、またはＣＲＳベースｅＳＩＢは、周期的に送信される複数のｅＳＩＢのうちの１つであり得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１３０５における（１つまたは複数の）動作は、図６、図７、図１０、または図１２を参照しながら説明したワイヤレス通信管理構成要素６２０、７２０、１０６０、または１２８６、あるいは図６または図７を参照しながら説明したサブフレーム構成識別構成要素６３５または７３５を使用して実行され得る。
【０１４３】
[0163]ブロック１３１０において、方法１３００は、ダウンリンクサブフレームの構成に少なくとも部分的に基づいて、ダウンリンクサブフレームのためのＣＲＳを生成することを含み得る。たとえば、方法１３００は、ダウンリンクサブフレームの構成が、データ送信がＳＦＢＣに少なくとも部分的に基づく、ＵＥのためのデータ送信、ＣＲＳベースＣＱＩ測定サブフレーム、ＣＲＳベースｅＳＩＢ、自己スケジューリングモードでの共通探索空間許可の送信、ＰＣＦＩＣＨの送信、ＰＦＦＩＣＨの送信、ＰＤＣＣＨの送信、ＰＨＩＣＨの送信、またはＰＢＣＨの送信のうちの少なくとも１つを含むとき、ダウンリンクサブフレームのためのＣＲＳを生成することを含み得る。ブロック１３１０における（１つまたは複数の）動作は、図６、図７、図１０、または図１２を参照しながら説明したワイヤレス通信管理構成要素６２０、７２０、１０６０、または１２８６、あるいは図６または図７を参照しながら説明したＣＲＳ生成構成要素６４０または７４０を使用して実行され得る。
【０１４４】
[0164]したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１４５】
[0165]図１４は、本開示の様々な態様による、ワイヤレス通信のための例示的な方法１４００を示すフローチャートである。明快のために、方法１４００について、図１、図２、図１０、または図１２を参照しながら説明した基地局１０５、２０５、２０５−ａ、１００５、または１２０５のうちの１つまたは複数の態様、あるいは図６または図７を参照しながら説明した装置６０５または７０５のうちの１つまたは複数の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１４６】
[0166]ブロック１４０５において、方法１４００は、共有無線周波数スペクトル帯域におけるダウンリンクサブフレームの構成を識別することを含み得る。いくつかの例では、ダウンリンクサブフレームは、ＵＥのためのデータ送信、前記データ送信はＳＦＢＣに少なくとも部分的に基づく、ＣＲＳベースＣＱＩ測定サブフレーム、ＣＲＳベースｅＳＩＢ、自己スケジューリングモードでの共通探索空間許可の送信、ＰＣＦＩＣＨの送信、ＰＦＦＩＣＨの送信、ＰＤＣＣＨの送信、ＰＨＩＣＨの送信、またはＰＢＣＨの送信のうちの少なくとも１つを含むように構成され得る。ダウンリンクサブフレームがＣＲＳベースｅＳＩＢを含むように構成されたとき、ダウンリンクサブフレームはＤ−ＣＥＴサブフレームであり得、またはＣＲＳベースｅＳＩＢは、周期的に送信される複数のｅＳＩＢのうちの１つであり得る。ダウンリンクサブフレームは、他のまたは代替の送信を含むようにも構成され得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１４０５における（１つまたは複数の）動作は、図６、図７、図１０、または図１２を参照しながら説明したワイヤレス通信管理構成要素６２０、７２０、１０６０、または１２８６、あるいは図６または図７を参照しながら説明したサブフレーム構成識別構成要素６３５または７３５を使用して実行され得る。
【０１４７】
[0167]ブロック１４１０において、方法１４００は、ダウンリンクサブフレームの構成に少なくとも部分的に基づいて、ダウンリンクサブフレームのためのＣＲＳを生成することを含み得る。たとえば、方法１４００は、ダウンリンクサブフレームの構成が、データ送信がＳＦＢＣに少なくとも部分的に基づく、ＵＥのためのデータ送信、ＣＲＳベースＣＱＩ測定サブフレーム、ＣＲＳベースｅＳＩＢ、自己スケジューリングモードでの共通探索空間許可の送信、ＰＣＦＩＣＨの送信、ＰＦＦＩＣＨの送信、ＰＤＣＣＨの送信、ＰＨＩＣＨの送信、またはＰＢＣＨの送信のうちの少なくとも１つを含むとき、ダウンリンクサブフレームのためのＣＲＳを生成することを含み得る。ブロック１３１０における（１つまたは複数の）動作は、図６、図７、図１０、または図１２を参照しながら説明したワイヤレス通信管理構成要素６２０、７２０、１０６０、または１２８６、あるいは図６または図７を参照しながら説明したＣＲＳ生成構成要素６４０または７４０を使用して実行され得る。
【０１４８】
[0168]ブロック１４１５において、方法１４００は、ダウンリンクサブフレームにおけるＣＲＳの存在をシグナリングすることを含み得る。いくつかの例では、ＣＲＳの存在をシグナリングすることは、キャリア上のＰＤＣＣＨまたはｅＰＤＣＣＨ中に含まれるＤＣＩにおいてＣＲＳの存在をシグナリングすることを含み得、ここで、シグナリングは、ＰＤＣＣＨ／ｅＰＤＣＣＨキャリアとは異なるキャリア上で送信され得る。場合によっては、ＣＲＳの存在のシグナリングは認可キャリアまたは無認可キャリア上で送信され得る。クロスキャリアスケジューリングが使用されるとき、ＰＤＣＣＨ／ｅＰＤＣＣＨ中に含まれるＤＣＩの１ビットが、ＣＲＳの存在をシグナリングするために使用され得る。自己スケジューリングが使用されるとき、ｅＰＤＣＣＨ中に含まれるＤＣＩの１ビットが、ＣＲＳの存在をシグナリングするために使用され得る。ＤＣＩは、ＣＲＳを復号するより前にＵＥによって復号され得る。ブロック１４１５における（１つまたは複数の）動作は、図６、図７、図１０、または図１２を参照しながら説明したワイヤレス通信管理構成要素６２０、７２０、１０６０、または１２８６、あるいは図７を参照しながら説明したＣＲＳシグナリング構成要素７４５を使用して実行され得る。
【０１４９】
[0169]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１５０】
[0170]図１５は、本開示の様々な態様による、ワイヤレス通信のための例示的な方法１５００を示すフローチャートである。明快のために、方法１５００について、図１、図２、図１０、または図１２を参照しながら説明した基地局１０５、２０５、２０５−ａ、１００５、または１２０５のうちの１つまたは複数の態様、あるいは図６または図７を参照しながら説明した装置６０５または７０５のうちの１つまたは複数の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１５１】
[0171]ブロック１５０５において、方法１５００は、共有無線周波数スペクトル帯域におけるダウンリンクサブフレームの構成を識別することを含み得る。いくつかの例では、ダウンリンクサブフレームは、自己スケジューリングモードでの共通探索空間許可の送信、ＰＣＦＩＣＨの送信、ＰＦＦＩＣＨの送信、ＰＤＣＣＨの送信、またはＰＨＩＣＨの送信のうちの少なくとも１つを含むように構成され得る。ダウンリンクサブフレームは、他のまたは代替の送信を含むようにも構成され得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１５０５における（１つまたは複数の）動作は、図６、図７、図１０、または図１２を参照しながら説明したワイヤレス通信管理構成要素６２０、７２０、１０６０、または１２８６、あるいは図６または図７を参照しながら説明したサブフレーム構成識別構成要素６３５または７３５を使用して実行され得る。
【０１５２】
[0172]ブロック１５１０において、方法１５００は、ダウンリンクサブフレームの構成に少なくとも部分的に基づいて、ダウンリンクサブフレームのためのＣＲＳを生成することを含み得る。たとえば、方法１５００は、ダウンリンクサブフレームの構成が、ＰＣＦＩＣＨの送信、ＰＦＦＩＣＨの送信、ＰＤＣＣＨの送信、またはＰＨＩＣＨの送信のうちの少なくとも１つを含むとき、ダウンリンクサブフレームのためのＣＲＳを生成することを含み得る。ブロック１５１０における（１つまたは複数の）動作は、図６、図７、図１０、または図１２を参照しながら説明したワイヤレス通信管理構成要素６２０、７２０、１０６０、または１２８６、あるいは図６または図７を参照しながら説明したＣＲＳ生成構成要素６４０または７４０を使用して実行され得る。
【０１５３】
[0173]ブロック１５１５において、方法１５００は、ダウンリンクサブフレームの第１のシンボル期間を含む少なくとも１つのシンボル期間の第１のセット中で、ＰＣＦＩＣＨ、ＰＦＦＩＣＨ、ＰＤＣＣＨ、またはＰＨＩＣＨを含む制御領域を送信することを含み得る。いくつかの例では、少なくとも１つのシンボル期間の第１のセットは、ダウンリンクサブフレームの少なくとも第２のシンボル期間をも含み得、制御領域は、ダウンリンクサブフレームの少なくとも第２のシンボル期間においてさらに送信され得る。ダウンリンクサブフレームの少なくとも第２のシンボル期間は、ダウンリンクサブフレームの第１のシンボル期間に続き得る。いくつかの例では、ダウンリンクサブフレームの第１のシンボル期間は、ダウンリンクサブフレームの時間的に第１のシンボル期間であり得る。ブロック１５１５における（１つまたは複数の）動作は、図６、図７、図１０、または図１２を参照しながら説明したワイヤレス通信管理構成要素６２０、７２０、１０６０、または１２８６、あるいは図７を参照しながら説明した送信管理構成要素７５０または制御送信管理構成要素７５５を使用して実行され得る。
【０１５４】
[0174]ブロック１５２０において、方法１５００は、ダウンリンクサブフレームの第１のシンボル期間においてＣＲＳを送信することを含み得る。代替例では、ＣＲＳは、ダウンリンクサブフレームの第１のシンボル期間に加えてまたはそれの代わりに、ダウンリンクサブフレームの他のシンボル期間において送信され得る。ブロック１５２０における（１つまたは複数の）動作は、図６、図７、図１０、または図１２を参照しながら説明したワイヤレス通信管理構成要素６２０、７２０、１０６０、または１２８６、あるいは図７を参照しながら説明した送信管理構成要素７５０またはＣＲＳ送信管理構成要素７６０を使用して実行され得る。
【０１５５】
[0175]制御領域がダウンリンクサブフレームの第１のシンボル期間および少なくとも第２のシンボル期間において送信される、方法１５００の例では、およびブロック１５２５において、方法１５００は、最小帯域幅の占有率を満たすために、少なくとも第２のシンボル期間におけるアグリゲーションレベルを増加させること、または少なくとも第２のシンボル期間における少なくとも１つのトーン上でフィラーシンボルを送信することを含み得る。いくつかの例では、フィラーシンボルは、ＵＥによって復号可能または使用可能であるシンボルを含み得る。他の例では、フィラーシンボルは、ＵＥによって復号可能でないまたは使用可能でないジャンクシンボルを含み得る。ブロック１５２５における（１つまたは複数の）動作は、図６、図７、図１０、または図１２を参照しながら説明したワイヤレス通信管理構成要素６２０、７２０、１０６０、または１２８６、あるいは図７を参照しながら説明した送信管理構成要素７５０または時間および周波数リソース選択構成要素７７０を使用して実行され得る。
【０１５６】
[0176]制御領域がダウンリンクサブフレームの第１のシンボル期間および少なくとも第２のシンボル期間において送信される、方法１５００の例では、およびブロック１５３０において、方法１５００は、第１のシンボル期間から少なくとも第２のシンボル期間まで一定の送信電力を維持するために、少なくとも第２のシンボル期間における送信電力をブーストすることを含み得る。いくつかの例では、送信電力をブーストすることは、少なくとも第２のシンボル期間における少なくとも１つのトーン上でフィラーシンボルを送信することを含み得る。いくつかの例では、ＣＲＳは、ダウンリンクサブフレームの第１のシンボル期間において送信されるが、ダウンリンクサブフレームの少なくとも第２のシンボル期間において送信されないので、少なくとも第２のシンボル期間における送信電力がブーストされ得る。ブロック１５３０における（１つまたは複数の）動作は、図６、図７、図１０、または図１２を参照しながら説明したワイヤレス通信管理構成要素６２０、７２０、１０６０、または１２８６、あるいは図７を参照しながら説明した電力調整構成要素７７５を使用して実行され得る。
【０１５７】
[0177]ブロック１５３５において、方法１５００は、少なくとも１つのシンボル期間の第１のセットに続く少なくとも１つのシンボル期間の第２のセット中でデータ領域を送信することを含み得る。ブロック１５３５における（１つまたは複数の）動作は、図６、図７、図１０、または図１２を参照しながら説明したワイヤレス通信管理構成要素６２０、７２０、１０６０、または１２８６、あるいは図７を参照しながら説明した送信管理構成要素７５０またはデータ送信管理構成要素７６５を使用して実行され得る。
【０１５８】
[0178]ブロック１５４０において、方法１５００は、第１のセットから第２のセットまで一定の送信電力を維持するために、第１のセット中の少なくとも１つのシンボル期間における送信電力をブーストすることを含み得る。いくつかの例では、送信電力をブーストすることは、第１における少なくとも１つのシンボル期間における少なくとも１つのトーン上でフィラーシンボルを送信することを含み得る。ブロック１５４０における（１つまたは複数の）動作は、図６、図７、図１０、または図１２を参照しながら説明したワイヤレス通信管理構成要素６２０、７２０、１０６０、または１２８６、あるいは図７を参照しながら説明した電力調整構成要素７７５を使用して実行され得る。
【０１５９】
[0179]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１６０】
[0180]図１６は、本開示の様々な態様による、ワイヤレス通信のための例示的な方法１６００を示すフローチャートである。明快のために、方法１６００について、図１、図２、図１０、または図１２を参照しながら説明した基地局１０５、２０５、２０５−ａ、１００５、または１２０５のうちの１つまたは複数の態様、あるいは図６または図７を参照しながら説明した装置６０５または７０５のうちの１つまたは複数の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１６１】
[0181]ブロック１６０５において、方法１６００は、共有無線周波数スペクトル帯域におけるダウンリンクサブフレームの構成を識別することを含み得る。いくつかの例では、ダウンリンクサブフレームはＰＣＦＩＣＨの送信を含むように構成され得る。ダウンリンクサブフレームは、他のまたは代替の送信を含むようにも構成され得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１６０５における（１つまたは複数の）動作は、図６、図７、図１０、または図１２を参照しながら説明したワイヤレス通信管理構成要素６２０、７２０、１０６０、または１２８６、あるいは図６または図７を参照しながら説明したサブフレーム構成識別構成要素６３５または７３５を使用して実行され得る。
【０１６２】
[0182]ブロック１６１０において、方法１６００は、ダウンリンクサブフレームの構成に少なくとも部分的に基づいて、ダウンリンクサブフレームのためのＣＲＳを生成することを含み得る。たとえば、方法１６００は、ダウンリンクサブフレームの構成がＰＣＦＩＣＨの送信を含むとき、ダウンリンクサブフレームのためのＣＲＳを生成することを含み得る。ブロック１６１０における（１つまたは複数の）動作は、図６、図７、図１０、または図１２を参照しながら説明したワイヤレス通信管理構成要素６２０、７２０、１０６０、または１２８６、あるいは図６または図７を参照しながら説明したＣＲＳ生成構成要素６４０または７４０を使用して実行され得る。
【０１６３】
[0183]ブロック１６１５において、方法１６００は、基地局がダウンリンクサブフレームの後の次のダウンリンクサブフレームにおいてアクティブになるかどうかの指示をＰＣＦＩＣＨにおいて送信することを含み得る。いくつかの例では、指示は、ＰＣＦＩＣＨ中の１つの余分のビットを含み得る。ブロック１６１５における動作は、図６、図７、図１０、または図１２を参照しながら説明したワイヤレス通信管理構成要素６２０、７２０、１０６０、または１２８６、あるいは図７を参照しながら説明した送信管理構成要素７５０または制御送信管理構成要素７５５を使用して実行され得る。
【０１６４】
[0184]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１６５】
[0185]図１７は、本開示の様々な態様による、ワイヤレス通信のための例示的な方法１７００を示すフローチャートである。明快のために、方法１７００について、図１、図２、図１０、または図１２を参照しながら説明した基地局１０５、２０５、２０５−ａ、１００５、または１２０５のうちの１つまたは複数の態様、あるいは図６または図７を参照しながら説明した装置６０５または７０５のうちの１つまたは複数の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１６６】
[0186]ブロック１７０５において、方法１７００は、共有無線周波数スペクトル帯域におけるダウンリンクサブフレームの構成を識別することを含み得る。いくつかの例では、ダウンリンクサブフレームはＰＦＦＩＣＨの送信を含むように構成され得る。ダウンリンクサブフレームは、他のまたは代替の送信を含むようにも構成され得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１７０５における（１つまたは複数の）動作は、図６、図７、図１０、または図１２を参照しながら説明したワイヤレス通信管理構成要素６２０、７２０、１０６０、または１２８６、あるいは図６または図７を参照しながら説明したサブフレーム構成識別構成要素６３５または７３５を使用して実行され得る。
【０１６７】
[0187]ブロック１７１０において、方法１７００は、共有無線周波数スペクトル帯域へのアクセスを求める競合に勝つことを含み得る。ブロック１７１０における（１つまたは複数の）動作は、図６、図７、図１０、または図１２を参照しながら説明したワイヤレス通信管理構成要素６２０、７２０、１０６０、または１２８６、あるいは図７を参照しながら説明したＣＣＡ構成要素７８０を使用して実行され得る。
【０１６８】
[0188]ブロック１７１５において、方法１７００は、ダウンリンクサブフレームの構成に少なくとも部分的に基づいて、ダウンリンクサブフレームのためのＣＲＳを生成することを含み得る。たとえば、方法１７００は、ダウンリンクサブフレームの構成がＰＦＦＩＣＨの送信を含むとき、ダウンリンクサブフレームのためのＣＲＳを生成することを含み得る。ブロック１７１５における（１つまたは複数の）動作は、図６、図７、図１０、または図１２を参照しながら説明したワイヤレス通信管理構成要素６２０、７２０、１０６０、または１２８６、あるいは図６または図７を参照しながら説明したＣＲＳ生成構成要素６４０または７４０を使用して実行され得る。
【０１６９】
[0189]ブロック１７２０において、方法１７００は、共有無線周波数スペクトル帯域へのアクセスを求める競合に勝つことに続いて、ＰＦＦＩＣＨを含むダウンリンクサブフレームを送信することを含み得る。ブロック１７２０における動作は、図６、図７、図１０、または図１２を参照しながら説明したワイヤレス通信管理構成要素６２０、７２０、１０６０、または１２８６、あるいは図７を参照しながら説明した送信管理構成要素７５０または制御送信管理構成要素７５５を使用して実行され得る。
【０１７０】
[0190]したがって、方法１７００はワイヤレス通信を提供し得る。方法１７００は一実装形態にすぎないこと、および方法１７００の動作は、他の実装形態が可能であるように、並べ替えられるかまたは場合によっては変更され得ることに留意されたい。
【０１７１】
[0191]図１８は、本開示の様々な態様による、ワイヤレス通信のための例示的な方法１８００を示すフローチャートである。明快のために、方法１８００について、図１、図２、図１０、または図１２を参照しながら説明した基地局１０５、２０５、２０５−ａ、１００５、または１２０５のうちの１つまたは複数の態様、あるいは図６または図７を参照しながら説明した装置６０５または７０５のうちの１つまたは複数の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１７２】
[0192]ブロック１８０５において、方法１８００は、共有無線周波数スペクトル帯域におけるダウンリンクサブフレームの構成を識別することを含み得る。いくつかの例では、ダウンリンクサブフレームはＰＨＩＣＨの送信を含むように構成され得る。ダウンリンクサブフレームは、他のまたは代替の送信を含むようにも構成され得る。共有無線周波数スペクトル帯域は、送信装置がそれのためにアクセスを求めて競合する必要があり得る無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１８０５における（１つまたは複数の）動作は、図６、図７、図１０、または図１２を参照しながら説明したワイヤレス通信管理構成要素６２０、７２０、１０６０、または１２８６、あるいは図６または図７を参照しながら説明したサブフレーム構成識別構成要素６３５または７３５を使用して実行され得る。
【０１７３】
[0193]ブロック１８１０において、方法１８００は、ダウンリンクサブフレームの構成に少なくとも部分的に基づいて、ダウンリンクサブフレームのためのＣＲＳを生成することを含み得る。たとえば、方法１８００は、ダウンリンクサブフレームの構成がＰＨＩＣＨの送信を含むとき、ダウンリンクサブフレームのためのＣＲＳを生成することを含み得る。ブロック１８１５における（１つまたは複数の）動作は、図６、図７、図１０、または図１２を参照しながら説明したワイヤレス通信管理構成要素６２０、７２０、１０６０、または１２８６、あるいは図６または図７を参照しながら説明したＣＲＳ生成構成要素６４０または７４０を使用して実行され得る。
【０１７４】
[0194]いくつかの例では、方法１８００は、ブロック１８１５、ブロック１８２０、またはブロック１８２５の一方または両方における動作を実行するように様々に構成され得る。ブロック１８１５において、方法１８００は、ＵＥ許可開始リソースブロックとアップリンクサブフレームの識別子とに応じてＰＨＩＣＨのために少なくとも１つのリソースを割り振ることを含み得る。ブロック１８２０において、方法１８００は、ＰＨＩＣＨを含むダウンリンクサブフレームを送信することを含み得る。
【０１７５】
[0195]ブロック１８２５において、方法１８００は、ＵＥから受信されたアップリンクサブフレームのグループに対するグループ確認応答をＰＨＩＣＨにおいて送信することを含み得る。いくつかの例では、グループ確認応答は、ＣＲＣビットのセットとともに送信され得る。いくつかの例では、方法１８００は、ブロック１８２５において（１つまたは複数の）動作を実行した後に、ブロック１８１５または１８２０において続き得る。いくつかの例では、ダウンリンクサブフレームは第１のダウンリンクサブフレームであり得（ただし、「第１」は、多数のうちの１つを意味し、必ずしも時間的に第１を意味するとは限らない）、ＰＨＩＣＨは第１のＰＨＩＣＨであり得、グループ確認応答は、拳ＵＥから受信されたアップリンクサブフレームの第１のグループに対する第１のグループ確認応答であり得る。これらの後者の例では、方法１８００は、第２のダウンリンクサブフレームにおいて第２のＰＨＩＣＨを送信することを含み得る。第２のＰＨＩＣＨは、第２のＵＥから受信されたアップリンクサブフレームの第２のグループに対する第２のグループ確認応答を含み得る。アップリンクサブフレームの第１のグループは、アップリンクサブフレームの第２のグループとは異なるＴＤＤフレーム構造に関して受信されるので、第１のグループ確認応答と第２のグループ確認応答とは、異なるダウンリンクサブフレーム（たとえば、第１のダウンリンクサブフレームまたは第２のダウンリンクサブフレーム）において送信され得る。言い方を変えれば、グループ確認応答が送信されるダウンリンクサブフレームは、グループ確認応答がそれに対応するアップリンクサブフレームのグループのＴＤＤフレーム構造に少なくとも部分的に基づき得る。
【０１７６】
[0196]ブロック１８１５、１８２０、または１８２５における動作は、図６、図７、図１０、または図１２を参照しながら説明したワイヤレス通信管理構成要素６２０、７２０、１０６０、または１２８６、あるいは図７を参照しながら説明した送信管理構成要素７５０または制御送信管理構成要素７５５を使用して実行され得る。
【０１７７】
[0197]したがって、方法１８００はワイヤレス通信を提供し得る。方法１８００は一実装形態にすぎないこと、および方法１８００の動作は、他の実装形態が可能であるように、並べ替えられるかまたは場合によっては変更され得ることに留意されたい。
【０１７８】
[0198]いくつかの例では、図１３、図１４、図１５、図１６、図１７、または図１８を参照しながら説明した方法１３００、１４００、１５００、１６００、１７００、または１８００の（１つまたは複数の）動作が組み合わせられ得る。
【０１７９】
[0199]図１９は、本開示の様々な態様による、ワイヤレス通信のための例示的な方法１９００を示すフローチャートである。明快のために、方法１９００について、図１、図２、図１１、または図１２を参照しながら説明したＵＥ１１５、２１５、２１５−ａ、２１５−ｂ、２１５−ｃ、１１１５、または１２１５のうちの１つまたは複数の態様、あるいは図８または図９を参照しながら説明した装置８１５または９１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１８０】
[0200]ブロック１９０５において、方法１９００は、共有無線周波数スペクトル帯域におけるダウンリンクサブフレームにおけるＣＲＳの存在を動的に決定することを含み得る。共有無線周波数スペクトル帯域は、送信装置がそれのためにアクセスを求めて競合する必要があり得る無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１９０５における（１つまたは複数の）動作は、図８、図９、図１１、または図１２を参照しながら説明したワイヤレス通信管理構成要素８２０、９２０、１１６０、または１２８４、あるいは図８または図９を参照しながら説明したＣＲＳ識別構成要素８３５または９３５を使用して実行され得る。
【０１８１】
[0201]ブロック１９１０において、方法１９００は、動的決定に応答してダウンリンクサブフレーム中に少なくとも１つの動作を実行することを含み得る。ブロック１９１０における（１つまたは複数の）動作は、図８、図９、図１１、または図１２を参照しながら説明したワイヤレス通信管理構成要素８２０、９２０、１１６０、または１２８４、あるいは図８または図９を参照しながら説明したＣＲＳベース動作管理構成要素８４０または９４０を使用して実行され得る。
【０１８２】
[0202]したがって、方法１９００はワイヤレス通信を提供し得る。方法１９００は一実装形態にすぎないこと、および方法１９００の動作は、他の実装形態が可能であるように、並べ替えられるかまたは場合によっては変更され得ることに留意されたい。
【０１８３】
[0203]図２０は、本開示の様々な態様による、ワイヤレス通信のための例示的な方法２０００を示すフローチャートである。明快のために、方法２０００について、図１、図２、図１１、または図１２を参照しながら説明したＵＥ１１５、２１５、２１５−ａ、２１５−ｂ、２１５−ｃ、１１１５、または１２１５のうちの１つまたは複数の態様、あるいは図８または図９を参照しながら説明した装置８１５または９１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１８４】
[0204]方法２０００は、ブロック２００５またはブロック２０１０のうちの１つにおいて開始し得る。ブロック２００５において、方法２０００は、ＣＱＩ測定サブフレームまたはｅＳＩＢを含むサブフレームのうちの少なくとも１つにおけるＣＲＳの存在を推論することによって、共有無線周波数スペクトル帯域におけるダウンリンクサブフレームにおけるＣＲＳの存在を動的に決定することを含み得る。いくつかの例では、ｅＳＩＢを含むサブフレームはＤ−ＣＥＴサブフレームであり得、またはｅＳＩＢは、周期的に受信される複数のｅＳＩＢのうちの１つであり得る。ブロック２０１０において、方法２０００は、ＰＤＣＣＨまたはｅＰＤＣＣＨにおいて受信されたＤＣＩを復号することによって、共有無線周波数スペクトル帯域におけるダウンリンクサブフレームにおけるＣＲＳの存在を動的に決定することを含み得る。クロスキャリアスケジューリングが使用されるとき、ＤＣＩを復号することは、ＰＤＣＣＨ／ｅＰＤＣＣＨ中に含まれるＤＣＩの１ビットを復号することを含み得る。自己スケジューリングが使用されるとき、ＤＣＩを復号することは、ｅＰＤＣＣＨ中に含まれるＤＣＩの１ビットを復号することを含み得る。ＤＣＩは、ＣＲＳを復号するより前にＵＥによって復号され得る。
【０１８５】
[0205]共有無線周波数スペクトル帯域は、送信装置がそれのためにアクセスを求めて競合する必要があり得る無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２００５における（１つまたは複数の）動作は、図８、図９、図１１、または図１２を参照しながら説明したワイヤレス通信管理構成要素８２０、９２０、１１６０、または１２８４、図８または図９を参照しながら説明したＣＲＳ識別構成要素８３５または９３５、あるいは図９を参照しながら説明した推論構成要素９４５またはＤＣＩ復号構成要素９５０を使用して実行され得る。
【０１８６】
[0206]ブロック２０１５において、方法２０００は、ブロック２００５またはブロック２０１０における動的決定に応答してダウンリンクサブフレーム中に少なくとも１つの動作を実行することを含み得る。ブロック２０１５における（１つまたは複数の）動作は、図８、図９、図１１、または図１２を参照しながら説明したワイヤレス通信管理構成要素８２０、９２０、１１６０、または１２８４、あるいは図８または図９を参照しながら説明したＣＲＳベース動作管理構成要素８４０または９４０を使用して実行され得る。
【０１８７】
[0207]したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。
【０１８８】
[0208]図２１は、本開示の様々な態様による、ワイヤレス通信のための例示的な方法２１００を示すフローチャートである。明快のために、方法２１００について、図１、図２、図１１、または図１２を参照しながら説明したＵＥ１１５、２１５、２１５−ａ、２１５−ｂ、２１５−ｃ、１１１５、または１２１５のうちの１つまたは複数の態様、あるいは図８または図９を参照しながら説明した装置８１５または９１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１８９】
[0209]ブロック２１０５において、方法２１００は、共有無線周波数スペクトル帯域におけるダウンリンクサブフレームにおけるＣＲＳの存在を動的に決定することを含み得る。共有無線周波数スペクトル帯域は、送信装置がそれのためにアクセスを求めて競合する必要があり得る無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２１０５における（１つまたは複数の）動作は、図８、図９、図１１、または図１２を参照しながら説明したワイヤレス通信管理構成要素８２０、９２０、１１６０、または１２８４、あるいは図８または図９を参照しながら説明したＣＲＳ識別構成要素８３５または９３５を使用して実行され得る。
【０１９０】
[0210]ブロック２１１０、ブロック２１１５、ブロック２１２０、ブロック２１２５、またはブロック２１３５において、方法２１００は、動的決定に応答してダウンリンクサブフレーム中に少なくとも１つの動作を実行することを含み得る。ブロック２１１０において、方法２１００は、ＰＣＦＩＣＨを受信することと、基地局がダウンリンクサブフレームの後の次のダウンリンクサブフレームにおいてアクティブになるかどうかの指示をＰＣＦＩＣＨにおいて受信することとを含み得る。ブロック２１１０における（１つまたは複数の）動作は、図８、図９、図１１、または図１２を参照しながら説明したワイヤレス通信管理構成要素８２０、９２０、１１６０、または１２８４、図８または図９を参照しながら説明したＣＲＳベース動作管理構成要素８４０または９４０、あるいは図９を参照しながら説明したＣＲＳベース復号構成要素９６０を使用して実行され得る。
【０１９１】
[0211]ブロック２１１５において、方法２１００は、チャネル推定を取得するためにＣＲＳに対して測定を実行することを含み得る。ブロック２１２０において、方法２１００は、チャネル推定に少なくとも部分的に基づいて、ＰＣＦＩＣＨ、ＰＦＦＩＣＨ、ＰＤＣＣＨ、ＰＨＩＣＨ、ＰＢＣＨ、またはｅＳＩＢのうちの少なくとも１つを復号することを含み得る。いくつかの例では、ｅＳＩＢはＤ−ＣＥＴサブフレーム中に含まれ得、またはｅＳＩＢは、周期的に受信される複数のｅＳＩＢのうちの１つであり得る。ブロック２１１５における（１つまたは複数の）動作は、図８、図９、図１１、または図１２を参照しながら説明したワイヤレス通信管理構成要素８２０、９２０、１１６０、または１２８４、図８または図９を参照しながら説明したＣＲＳベース動作管理構成要素８４０または９４０、あるいはチャネル推定管理構成要素９５５を使用して実行され得る。ブロック２１２０における（１つまたは複数の）動作は、図８、図９、図１１、または図１２を参照しながら説明したワイヤレス通信管理構成要素８２０、９２０、１１６０、または１２８４、図８または図９を参照しながら説明したＣＲＳベース動作管理構成要素８４０または９４０、あるいは図９を参照しながら説明したＣＲＳベース復号構成要素９６０を使用して実行され得る。
【０１９２】
[0212]ブロック２１２５において、方法２１００は、ＰＨＩＣＨを受信することと、アップリンクサブフレームのグループに対するグループ確認応答をＰＨＩＣＨにおいて受信することとを含み得る。いくつかの例では、グループ確認応答は、ＣＲＣビットのセットとともに受信され得る。ブロック２１２５における（１つまたは複数の）動作は、図８、図９、図１１、または図１２を参照しながら説明したワイヤレス通信管理構成要素８２０、９２０、１１６０、または１２８４、図８または図９を参照しながら説明したＣＲＳベース動作管理構成要素８４０または９４０、あるいは図９を参照しながら説明したＣＲＳベース復号構成要素９６０を使用して実行され得る。
【０１９３】
[0213]ブロック２１３０において、方法２１００は、ダウンリンクサブフレームが含まれるフレームのＴＤＤフレーム構造に少なくとも部分的に基づいて、ダウンリンクサブフレームにおけるＰＨＩＣＨの存在を推論することを含み得る。ブロック２１３５において、方法２１００は、ダウンリンクサブフレーム中にＰＨＩＣＨの送信を受信することを含み得る。ブロック２１３０または２１３５における動作は、図８、図９、図１１、または図１２を参照しながら説明したワイヤレス通信管理構成要素８２０、９２０、１１６０、または１２８４、図８または図９を参照しながら説明したＣＲＳベース動作管理構成要素８４０または９４０、あるいは図９を参照しながら説明したＣＲＳベース復号構成要素９６０を使用して実行され得る。
【０１９４】
[0214]したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０１９５】
[0215]いくつかの例では、図１９、図２０、または図２１を参照しながら説明した方法１９００、２０００、または２１００の（１つまたは複数の）動作が組み合わせられ得る。
【０１９６】
[0216]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１９７】
[0217]添付の図面に関して上記に記載された詳細な説明は、例について説明しており、実装され得るまたは特許請求の範囲内に入る例のすべてを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１９８】
[0218]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１９９】
[0219]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０２００】
[0220]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２０１】
[0221]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２０２】
[0222]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
共有無線周波数スペクトル帯域におけるダウンリンクサブフレームの構成を識別することと、
前記ダウンリンクサブフレームの前記構成に少なくとも部分的に基づいて、前記ダウンリンクサブフレームのためのセル固有参照信号（ＣＲＳ）を生成することと、
を備える、ワイヤレス通信のための方法。
［Ｃ２］
前記ダウンリンクサブフレームにおける前記ＣＲＳの存在をシグナリングすること
をさらに備える、Ｃ１に記載の方法。
［Ｃ３］
前記ＣＲＳの前記存在をシグナリングすることが、
第１のキャリア上の物理ダウンリンク制御チャネル（ＰＤＣＣＨ）または拡張ＰＤＣＣＨ（ｅＰＤＣＣＨ）中に含まれるダウンリンク制御情報（ＤＣＩ）において前記ＣＲＳの前記存在をシグナリングすることと、
認可キャリアまたは無認可キャリア上で前記シグナリングを送信すること、ここにおいて、前記認可キャリアおよび前記無認可キャリアが前記第１のキャリアとは異なる、と、
を備える、Ｃ２に記載の方法。
［Ｃ４］
前記ダウンリンクサブフレームの第１のシンボル期間を備える少なくとも１つのシンボル期間の第１のセット中で、物理制御フォーマットインジケータチャネル（ＰＣＦＩＣＨ）、物理フレームフォーマットインジケータチャネル（ＰＦＦＩＣＨ）、物理ダウンリンク制御チャネル（ＰＤＣＣＨ）、または物理ハイブリッド自動再送要求インジケータチャネル（ＰＨＩＣＨ）を備える制御領域を送信することと、
前記ダウンリンクサブフレームの前記第１のシンボル期間において前記ＣＲＳを送信することと、
をさらに備える、Ｃ１に記載の方法。
［Ｃ５］
少なくとも１つのシンボル期間の前記第１のセットが、前記ダウンリンクサブフレームの少なくとも第２のシンボル期間を含み、前記制御領域が、前記ダウンリンクサブフレームの少なくとも前記第２のシンボル期間においてさらに送信される、Ｃ４に記載の方法。
［Ｃ６］
最小帯域幅の占有率を満たすために、少なくとも前記第２のシンボル期間におけるアグリゲーションレベルを増加させること
をさらに備える、Ｃ５に記載の方法。
［Ｃ７］
最小帯域幅の占有率を満たすために、少なくとも前記第２のシンボル期間における少なくとも１つのトーン上でフィラーシンボルを送信すること
をさらに備える、Ｃ５に記載の方法。
［Ｃ８］
前記フィラーシンボルがジャンクシンボルを備える、Ｃ７に記載の方法。
［Ｃ９］
前記第１のシンボル期間から前記少なくとも第２のシンボル期間まで一定の送信電力を維持するために、前記少なくとも第２のシンボル期間における送信電力をブーストすること
をさらに備える、Ｃ５に記載の方法。
［Ｃ１０］
前記送信電力をブーストすることが、
少なくとも前記第２のシンボル期間における少なくとも１つのトーン上でフィラーシンボルを送信すること
を備える、Ｃ９に記載の方法。
［Ｃ１１］
少なくとも１つのシンボル期間の前記第１のセットに続く少なくとも１つのシンボル期間の第２のセット中でデータ領域を送信することと、
前記第１のセットから前記第２のセットまで一定の送信電力を維持するために、前記第１のセット中の少なくとも１つのシンボル期間における送信電力をブーストすることと、
をさらに備える、Ｃ４に記載の方法。
［Ｃ１２］
前記ダウンリンクサブフレームが物理制御フォーマットインジケータチャネル（ＰＣＦＩＣＨ）の送信を備え、前記方法は、
基地局が前記ダウンリンクサブフレームの後の次のダウンリンクサブフレームにおいてアクティブになるかどうかの指示を前記ＰＣＦＩＣＨにおいて送信すること
をさらに備える、Ｃ１に記載の方法。
［Ｃ１３］
前記ダウンリンクサブフレームが物理フレームフォーマットインジケータチャネル（ＰＦＦＩＣＨ）の送信を備え、前記方法が、
前記共有無線周波数スペクトル帯域へのアクセスを求める競合に勝つことと、
前記共有無線周波数スペクトル帯域へのアクセスを求める競合に前記勝つことに続いて前記ダウンリンクサブフレームを送信することと、
をさらに備える、Ｃ１に記載の方法。
［Ｃ１４］
前記ダウンリンクサブフレームが物理ハイブリッド自動再送要求インジケータチャネル（ＰＨＩＣＨ）の送信を備え、前記方法が、
ユーザ機器（ＵＥ）から受信されたアップリンクサブフレームのグループに対するグループ確認応答を前記ＰＨＩＣＨにおいて送信すること
をさらに備える、Ｃ１に記載の方法。
［Ｃ１５］
巡回冗長検査（ＣＲＣ）ビットのセットとともに前記グループ確認応答を送信すること
をさらに備える、Ｃ１４に記載の方法。
［Ｃ１６］
前記ダウンリンクサブフレームが第１の物理ハイブリッド自動再送要求インジケータチャネル（ＰＨＩＣＨ）の送信を備え、前記方法が、
第１のユーザ機器（ＵＥ）から受信されたアップリンクサブフレームの第１のグループに対する第１のグループ確認応答を前記第１のＰＨＩＣＨにおいて送信することと、
第２のＵＥから受信されたアップリンクサブフレームの第２のグループに対する第２のグループ確認応答を、第２のダウンリンクサブフレームにおける第２のＰＨＩＣＨにおいて送信することと、
をさらに備え、
ここにおいて、アップリンクサブフレームの前記第１のグループが、アップリンクサブフレームの前記第２のグループとは異なる時間領域複信（ＴＤＤ）フレーム構造に関して受信される、
Ｃ１に記載の方法。
［Ｃ１７］
前記ダウンリンクサブフレームが物理ハイブリッド自動再送要求インジケータチャネル（ＰＨＩＣＨ）の送信を備え、前記方法が、
ユーザ機器（ＵＥ）許可開始リソースブロックとアップリンクサブフレームの識別子とに応じて前記ＰＨＩＣＨのために少なくとも１つのリソースを割り振ること
をさらに備える、Ｃ１に記載の方法。
［Ｃ１８］
前記ダウンリンクサブフレームがＣＲＳベース拡張システム情報ブロック（ｅＳＩＢ）を備える、Ｃ１に記載の方法。
［Ｃ１９］
前記ダウンリンクサブフレームが、ダウンリンククリアチャネルアセスメント免除送信（Ｄ−ＣＥＴ）サブフレームを備える、Ｃ１８に記載の方法。
［Ｃ２０］
前記ＣＲＳベースｅＳＩＢが、周期的に送信される複数のｅＳＩＢのうちの１つを備える、Ｃ１８に記載の方法。
［Ｃ２１］
前記ダウンリンクサブフレームは、ユーザ機器（ＵＥ）のためのデータ送信、前記データ送信が空間周波数ブロックコーディング（ＳＦＢＣ）に少なくとも部分的に基づく、ＣＲＳベースチャネル品質インジケータ（ＣＱＩ）測定サブフレーム、自己スケジューリングモードでの共通探索空間許可の送信、物理制御フォーマットインジケータチャネル（ＰＣＦＩＣＨ）の送信、物理フレームフォーマットインジケータチャネル（ＰＦＦＩＣＨ）の送信、物理ダウンリンク制御チャネル（ＰＤＣＣＨ）の送信、物理ハイブリッド自動再送要求インジケータチャネル（ＰＨＩＣＨ）の送信、または物理ブロードキャストチャネル（ＰＢＣＨ）の送信のうちの少なくとも１つを備える、Ｃ１に記載の方法。
［Ｃ２２］
プロセッサと、
前記プロセッサと電子通信しているメモリとを備え、
前記プロセッサおよびメモリが、
共有無線周波数スペクトル帯域におけるダウンリンクサブフレームの構成を識別することと、
前記ダウンリンクサブフレームの前記構成に少なくとも部分的に基づいて、前記ダウンリンクサブフレームのためのセル固有参照信号（ＣＲＳ）を生成することと、
を行うように構成された、ワイヤレス通信のための装置。
［Ｃ２３］
共有無線周波数スペクトル帯域におけるダウンリンクサブフレームにおけるセル固有参照信号（ＣＲＳ）の存在を動的に決定することと、
前記動的な決定に応答して前記ダウンリンクサブフレーム中に少なくとも１つの動作を実行することと、
を備える、ワイヤレス通信のための方法。
［Ｃ２４］
前記ダウンリンクサブフレーム中に前記少なくとも１つの動作を実行することが、
チャネル推定を取得するために前記ＣＲＳに対して測定を実行することと、
前記チャネル推定に少なくとも部分的に基づいて、物理制御フォーマットインジケータチャネル（ＰＣＦＩＣＨ）、物理フレームフォーマットインジケータチャネル（ＰＦＦＩＣＨ）、物理ダウンリンク制御チャネル（ＰＤＣＣＨ）、物理ハイブリッド自動再送要求インジケータチャネル（ＰＨＩＣＨ）、または物理ブロードキャストチャネル（ＰＢＣＨ）のうちの少なくとも１つを復号することと、
を備える、Ｃ２３に記載の方法。
［Ｃ２５］
前記ＣＲＳの前記存在を動的に決定することが、チャネル品質インジケータ（ＣＱＩ）測定サブフレーム、または拡張システム情報ブロック（ｅＳＩＢ）を備えるサブフレームにおける前記ＣＲＳの前記存在を推論すること、あるいは物理ダウンリンク制御チャネル（ＰＤＣＣＨ）または拡張ＰＤＣＣＨ（ｅＰＤＣＣＨ）中で受信されたダウンリンク制御情報（ＤＣＩ）を復号することのうちの少なくとも１つを備える、Ｃ２３に記載の方法。
［Ｃ２６］
前記ダウンリンクサブフレーム中に前記少なくとも１つの動作を実行することは、
物理制御フォーマットインジケータチャネル（ＰＣＦＩＣＨ）を受信することと、
基地局が前記ダウンリンクサブフレームの後の次のダウンリンクサブフレームにおいてアクティブになるかどうかの指示を前記ＰＣＦＩＣＨにおいて受信することと、
を備える、Ｃ２３に記載の方法。
［Ｃ２７］
前記ダウンリンクサブフレーム中に前記少なくとも１つの動作を実行することが、
物理ハイブリッド自動再送要求インジケータチャネル（ＰＨＩＣＨ）を受信することと、
アップリンクサブフレームのグループに対するグループ確認応答を前記ＰＨＩＣＨにおいて受信することと、
を備える、Ｃ２３に記載の方法。
［Ｃ２８］
巡回冗長検査（ＣＲＣ）ビットのセットとともに前記グループ確認応答を受信すること
をさらに備える、Ｃ２７に記載の方法。
［Ｃ２９］
前記ダウンリンクサブフレーム中に前記少なくとも１つの動作を実行することが、
チャネル推定を取得するために前記ＣＲＳに対して測定を実行することと、
前記チャネル推定に少なくとも部分的に基づいて、拡張システム情報ブロック（ｅＳＩＢ）を復号することと、
を備える、Ｃ２３に記載の方法。
［Ｃ３０］
プロセッサと、
前記プロセッサと電子通信しているメモリとを備え、
前記プロセッサおよびメモリが、
共有無線周波数スペクトル帯域におけるダウンリンクサブフレームにおけるセル固有参照信号（ＣＲＳ）の存在を動的に決定することと、
前記動的な決定に応答して前記ダウンリンクサブフレーム中に少なくとも１つの動作を実行することと
を行うように構成された、ワイヤレス通信のための装置。
【図１】
0006648128.tif 000002
【図２】
0006648128.tif 000003
【図３】
0006648128.tif 000004
【図４】
0006648128.tif 000005
【図５】
0006648128.tif 000006
【図６】
0006648128.tif 000007
【図７】
0006648128.tif 000008
【図８】
0006648128.tif 000009
【図９】
0006648128.tif 000010
【図１０】
0006648128.tif 000011
【図１１】
0006648128.tif 000012
【図１２】
0006648128.tif 000013
【図１３】
0006648128.tif 000014
【図１４】
0006648128.tif 000015
【図１５】
0006648128.tif 000016
【図１６】
0006648128.tif 000017
【図１７】
0006648128.tif 000018
【図１８】
0006648128.tif 000019
【図１９】
0006648128.tif 000020
【図２０】
0006648128.tif 000021
【図２１】
0006648128.tif 000022